(57)【特許請求の範囲】
【請求項１】
ネットワークノードにおいて使用するための方法であって、
システム情報送信のセットを送信すること（４０２）であって、前記セット内の各送信がシステム情報を含み、前記送信のセットが、前記システム情報の一部分が前記セット内の各送信について同じであるように設定することによってソフト合成を可能にする、システム情報送信のセットを送信すること（４０２）と、
各送信について、前記それぞれの送信に関連する識別子の指示を与えること（４０４）であって、前記指示が前記システム情報中以外で与えられる、識別子の指示を与えること（４０４）と
を含み、
前記指示が、参照信号上で前記指示を符号化することによって与えられる、方法。
【請求項２】
前記セット内の各送信が、関連する送信番号を有し、前記送信番号が、少なくとも部分的に、前記指示によって与えられた前記識別子から導出され得る、請求項１に記載の方法。
【請求項３】
前記セット内の各送信が、関連するシンボル番号を有し、前記指示によって与えられた前記識別子が、前記それぞれの送信の前記シンボル番号に対応する、請求項１に記載の方法。
【請求項４】
前記システム情報の一部分が、前記それぞれの送信に関連する前記識別子に依存するコンテンツを含む、請求項１から３のいずれか一項に記載の方法。
【請求項５】
物理ランダムアクセスチャネル（ＰＲＡＣＨ）設定は、前記送信のうちの１つに関連する前記ＰＲＡＣＨ設定が前記送信のうちの別のものに関連する前記ＰＲＡＣＨ設定とは異なるように前記それぞれの送信に関連する前記識別子に依存する、請求項１から４のいずれか一項に記載の方法。
【請求項６】
システム情報送信の第２のセットを送信すること（４０６）をさらに含み、前記指示は、システム情報送信の第１のセットに属する前記送信がシステム情報送信の前記第２のセットに属する前記送信とソフト合成され得ないことを、無線デバイスが決定することを可能にする、請求項１から５のいずれか一項に記載の方法。
【請求項７】
システム情報送信の第２のセットを送信すること（４０６）をさらに含み、システム情報送信の前記第１のセットおよびシステム情報送信の前記第２のセット中の各システム情報送信中で与えられた明示的指示とともに前記システム情報中以外で与えられた前記指示により、無線デバイスが、
システム情報送信の前記第１のセットに属する前記送信が、システム情報送信の前記第２のセットに属する前記送信とソフト合成され得ないことと、
システム情報送信の前記第１のセットに属する前記送信のうちの１つが、システム情報送信の前記第１のセットに属する他の送信とソフト合成されることが可能であることと、
システム情報送信の前記第２のセットに属する前記送信のうちの１つが、システム情報送信の前記第２のセットに属する他の送信とソフト合成されることが可能であることと
を決定することが可能になる、請求項１から６のいずれか一項に記載の方法。
【請求項８】
システム情報送信の前記セットが、前記システム情報の空間的繰返しを与えるナロービームのスイープを使用して送信される、請求項１から７のいずれか一項に記載の方法。
【請求項９】
システム情報送信の前記セットが、前記システム情報の時間的繰返しを与えるワイドビームまたは全方向性ビームを使用して送信される、請求項１から８のいずれか一項に記載の方法。
【請求項１０】
前記指示は、前記送信がシステム情報送信の前記セットに属し、したがってソフト合成されることが可能であることを、無線デバイスが決定することを可能にする、請求項１から８のいずれか一項に記載の方法。
【請求項１１】
各システム情報送信中で与えられた明示的指示とともに前記システム情報中以外で与えられた前記指示は、前記送信がシステム情報送信の前記セットに属し、したがってソフト合成されることが可能であることを、無線デバイスが決定することを可能にする、請求項１から１０のいずれか一項に記載の方法。
【請求項１２】
システム情報送信の前記セットが送信の複数のサブセットを含み、
前記指示が、同じサブセット内の送信をコヒーレントにソフト合成することと、異なるサブセット内の送信を非コヒーレントにソフト合成することとを可能にする、
請求項１から１１のいずれか一項に記載の方法。
【請求項１３】
ネットワークノード（２００）であって、
処理回路要素（２０２）であって、
システム情報送信のセットを準備することであって、前記セット内の各送信がシステム情報を含み、送信の前記セットが、前記システム情報の一部分が前記セット内の各送信について同じであるように設定することによってソフト合成を可能にする、システム情報送信のセットを準備することと、
各送信について、前記それぞれの送信に関連する識別子の指示を準備することであって、前記指示が前記システム情報中以外で与えられる、識別子の指示を準備することと
を行うように設定された処理回路要素（２０２）と、
システム情報送信の前記セットと、各それぞれの送信に関連する前記識別子の前記指示とを送信するように設定されたインターフェース（２０１、２０１ａ）と
を備え、
前記指示が、参照信号上で前記指示を符号化することによって与えられる、ネットワークノード（２００）。
【請求項１４】
前記セット内の各送信が、関連する送信番号を有し、前記送信番号が、少なくとも部分的に、前記指示によって与えられた前記識別子から導出され得る、請求項１３に記載のネットワークノード。
【請求項１５】
前記セット内の各送信が、関連するシンボル番号を有し、前記指示によって与えられた前記識別子が、前記それぞれの送信の前記シンボル番号に対応する、請求項１３に記載のネットワークノード。
【請求項１６】
前記システム情報の一部分が、前記それぞれの送信に関連する前記識別子に依存するコンテンツを含む、請求項１３から１５のいずれか一項に記載のネットワークノード。
【請求項１７】
物理ランダムアクセスチャネル（ＰＲＡＣＨ）設定は、前記送信のうちの１つに関連する前記ＰＲＡＣＨ設定が前記送信のうちの別のものに関連する前記ＰＲＡＣＨ設定とは異なるように、前記それぞれの送信に関連する前記識別子に依存する、請求項１３から１６のいずれか一項に記載のネットワークノード。
【請求項１８】
前記処理回路要素が、システム情報送信の第２のセットを準備するようにさらに設定され、前記指示は、システム情報送信の第１のセットに属する前記送信がシステム情報送信の前記第２のセットに属する前記送信とソフト合成され得ないことを無線デバイスが決定することを可能にし、
前記インターフェースが、システム情報の前記第２のセットを送信するようにさらに設定された、
請求項１３から１７のいずれか一項に記載のネットワークノード。
【請求項１９】
前記処理回路要素が、システム情報送信の第２のセットを準備するようにさらに設定され、システム情報送信の前記第１のセットおよびシステム情報送信の前記第２のセット中の各システム情報送信中で与えられた明示的指示とともに前記システム情報中以外で与えられた前記指示により、無線デバイスが、
システム情報送信の前記第１のセットに属する前記送信が、システム情報送信の前記第２のセットに属する前記送信とソフト合成され得ないことと、
システム情報送信の前記第１のセットに属する前記送信のうちの１つが、システム情報送信の前記第１のセットに属する他の送信とソフト合成されることが可能であることと、
システム情報送信の前記第２のセットに属する前記送信のうちの１つが、システム情報送信の前記第２のセットに属する他の送信とソフト合成されることが可能であることと
を決定することが可能になり、
前記インターフェースが、システム情報の前記第２のセットを送信するようにさらに設定された、
請求項１３から１８のいずれか一項に記載のネットワークノード。
【請求項２０】
前記インターフェースが、前記システム情報の空間的繰返しを与えるナロービームのスイープを使用してシステム情報送信の前記セットを送信するように設定された、請求項１３から１９のいずれか一項に記載のネットワークノード。
【請求項２１】
前記インターフェースが、前記システム情報の時間的繰返しを与えるワイドビームまたは全方向性ビームを使用してシステム情報送信の前記セットを送信するように設定された、請求項１３から２０のいずれか一項に記載のネットワークノード。
【請求項２２】
前記指示は、前記送信がシステム情報送信の前記セットに属し、したがってソフト合成されることが可能であることを、無線デバイスが決定することを可能にする、請求項１３から２１のいずれか一項に記載のネットワークノード。
【請求項２３】
各システム情報送信中で与えられた明示的指示とともに前記システム情報中以外で与えられた前記指示は、前記送信がシステム情報送信の前記セットに属し、したがってソフト合成されることが可能であることを、無線デバイスが決定することを可能にする、請求項１３から２２のいずれか一項に記載のネットワークノード。
【請求項２４】
システム情報送信の前記セットが送信の複数のサブセットを含み、
前記指示が、同じサブセット内の送信をコヒーレントにソフト合成することと、異なるサブセット内の送信を非コヒーレントにソフト合成することとを可能にする、
請求項１３から２３のいずれか一項に記載のネットワークノード。
【請求項２５】
コンピュータ可読プログラムコードを備えるコンピュータプログラムであって、前記コンピュータ可読プログラムコードは、ネットワークノードの処理回路要素（２０２）によって実行されたとき、前記ネットワークノードに、
システム情報送信のセットを送信することであって、前記セット内の各送信がシステム情報を含み、送信の前記セットが、前記システム情報の一部分が前記セット内の各送信について同じであるように設定することによってソフト合成を可能にする、システム情報送信のセットを送信することと、
各送信について、前記それぞれの送信に関連する識別子の指示を与えることであって、前記指示が前記システム情報中以外で与えられる、識別子の指示を与えることと
を含むアクションを実施させ、
前記指示が、参照信号上で前記指示を符号化することによって与えられる、コンピュータプログラム。
【請求項２６】
無線デバイスにおいて使用するための方法であって、
複数のシステム情報送信を受信すること（５０２、６０２、７０２、８０２）であって、各送信がシステム情報を含む、複数のシステム情報送信を受信すること（５０２、６０２、７０２、８０２）と、
各送信について、前記それぞれの送信に関連する識別子の指示を決定すること（５０４、６０４、７０４、８０４）であって、前記指示が前記システム情報中以外で受信され、前記指示は、前記受信された送信がシステム情報送信のセットに属するかどうかを指示し、前記システム情報の一部分は、ソフト合成が可能にされるように前記セット内の各送信について同じであるように設定される、識別子の指示を決定すること（５０４、６０４、７０４、８０４）と、
ソフト合成が可能にされる前記受信された送信をソフト合成すること（５０６、６０６、７０６、８０６）と
を含み、
前記指示が、参照信号から前記指示を復号することによって決定される、方法。
【請求項２７】
前記セット内の各送信が、関連する送信番号を有し、前記送信番号が、少なくとも部分的に、前記指示中で受信された前記識別子から導出され得る、請求項２６に記載の方法。
【請求項２８】
前記セット内の各送信が、関連するシンボル番号を有し、前記指示中で受信された前記識別子が、前記それぞれの送信の前記シンボル番号に対応する、請求項２６に記載の方法。
【請求項２９】
前記受信された送信の前記ソフト合成に基づいて、前記セット中の各送信について同じである前記システム情報の一部分を決定すること（６０８）と、
前記送信のうちの１つのみから前記システム情報の送信固有部分を決定すること（６１０）と
をさらに含む、請求項２６から２８のいずれか一項に記載の方法。
【請求項３０】
物理ランダムアクセスチャネル（ＰＲＡＣＨ）設定は、前記送信のうちの１つに関連する前記ＰＲＡＣＨ設定が前記送信のうちの別のものに関連する前記ＰＲＡＣＨ設定とは異なるように、前記それぞれの送信に関連する前記識別子に依存する、請求項２６から２９のいずれか一項に記載の方法。
【請求項３１】
前記指示が、前記セット内の各送信のために使用される異なるスクランブリングに基づいて決定される、請求項２６から３０のいずれか一項に記載の方法。
【請求項３２】
システム情報送信の第２のセットを受信すること（７０８）と、
前記指示に基づいて、システム情報送信の第１のセットに属する前記送信が、システム情報送信の前記第２のセットに属する前記送信とソフト合成され得ないことを決定すること（７１０）と
をさらに含む、請求項２６から３１のいずれか一項に記載の方法。
【請求項３３】
システム情報送信の第２のセットを受信すること（７０８）と、
システム情報送信の前記第１のセットおよびシステム情報送信の前記第２のセット中の各システム情報送信中で受信された明示的指示とともに前記システム情報中以外で受信された前記指示に基づいて、
システム情報送信の前記第１のセットに属する前記送信が、システム情報送信の前記第２のセットに属する前記送信とソフト合成され得ないことと、
システム情報送信の前記第１のセットに属する前記送信のうちの１つが、システム情報送信の前記第１のセットに属する他の送信とソフト合成されることが可能であることと、
システム情報送信の前記第２のセットに属する前記送信のうちの１つが、システム情報送信の前記第２のセットに属する他の送信とソフト合成されることが可能であることと
を決定することと
をさらに含む、請求項２６から３２のいずれか一項に記載の方法。
【請求項３４】
システム情報送信の前記セットが、ワイドビームまたは全方向性ビームの時間的繰返しを含む、請求項２６から３３のいずれか一項に記載の方法。
【請求項３５】
各システム情報送信中で受信された明示的指示とともに前記システム情報中以外で受信された前記指示は、前記送信がシステム情報送信の前記セットに属し、したがってソフト合成されることが可能であることを、前記無線デバイスが決定することを可能にする、請求項２６から３４のいずれか一項に記載の方法。
【請求項３６】
前記指示に基づいて、システム情報送信の前記セットが、同じサブセット内の送信がコヒーレントにソフト合成されることが可能であり、異なるサブセット内の送信が非コヒーレントにのみソフト合成され得るような、送信の複数のサブセットを含むことを決定すること（８０５）
をさらに含む、請求項２６から３５のいずれか一項に記載の方法。
【請求項３７】
無線デバイス（２１０、３００）であって、
複数のシステム情報送信を受信するように設定されたインターフェース（２１１、２１１ａ、３０５、３１０）であって、各送信がシステム情報を含む、インターフェース（２１１、２１１ａ、３０５、３１０）と、
処理回路要素（２１２、３１５）であって、
各送信について、前記それぞれの送信に関連する識別子の指示を決定することであって、前記指示が前記システム情報中以外で受信され、前記指示は、前記受信された送信がシステム情報送信のセットに属するかどうかを指示し、前記システム情報の一部分は、ソフト合成が可能にされるように前記セット内の各送信について同じであるように設定される、識別子の指示を決定することと、
ソフト合成が可能にされる前記受信された送信をソフト合成することと
を行うように設定された処理回路要素（２１２、３１５）と
を備え、
前記指示が、参照信号から前記指示を復号することによって決定される、無線デバイス（２１０、３００）。
【請求項３８】
前記セット内の各送信が、関連する送信番号を有し、前記送信番号が、少なくとも部分的に前記指示中で受信された前記識別子から、導出され得る、請求項３７に記載の無線デバイス。
【請求項３９】
前記セット内の各送信が、関連するシンボル番号を有し、前記指示中で受信された前記識別子が、前記それぞれの送信の前記シンボル番号に対応する、請求項３７に記載の無線デバイス。
【請求項４０】
前記処理回路要素が、
前記受信された送信の前記ソフト合成に基づいて、前記セット中の各送信について同じである前記システム情報の一部分を決定することと、
前記送信のうちの１つのみから前記システム情報の送信固有部分を決定することと
を行うようにさらに設定された、請求項３７から３９のいずれか一項に記載の無線デバイス。
【請求項４１】
物理ランダムアクセスチャネル（ＰＲＡＣＨ）設定は、前記送信のうちの１つに関連する前記ＰＲＡＣＨ設定が前記送信のうちの別のものに関連する前記ＰＲＡＣＨ設定とは異なるように、前記それぞれの送信に関連する前記識別子に依存する、請求項３７から４０のいずれか一項に記載の無線デバイス。
【請求項４２】
前記インターフェースが、システム情報送信の第２のセットを受信するようにさらに設定され、
前記処理回路要素は、前記指示に基づいて、システム情報送信の第１のセットに属する前記送信が、システム情報送信の前記第２のセットに属する前記送信とソフト合成され得ないことを決定するようにさらに設定された、
請求項３７から４１のいずれか一項に記載の無線デバイス。
【請求項４３】
前記インターフェースが、システム情報送信の第２のセットを受信するようにさらに設定され、
前記処理回路要素は、システム情報送信の前記第１のセットおよびシステム情報送信の前記第２のセット中の各システム情報送信中で受信された明示的指示とともに前記システム情報中以外で受信された前記指示に基づいて、
システム情報送信の前記第１のセットに属する前記送信が、システム情報送信の前記第２のセットに属する前記送信とソフト合成され得ないことと、
システム情報送信の前記第１のセットに属する前記送信のうちの１つが、システム情報送信の前記第１のセットに属する他の送信とソフト合成されることが可能であることと、
システム情報送信の前記第２のセットに属する前記送信のうちの１つが、システム情報送信の前記第２のセットに属する他の送信とソフト合成されることが可能であることと
を決定するようにさらに設定された、
請求項３７から４２のいずれか一項に記載の無線デバイス。
【請求項４４】
システム情報送信の前記セットが、前記システム情報の空間的繰返しを与えるナロービームのスイープを含む、請求項３７から４３のいずれか一項に記載の無線デバイス。
【請求項４５】
システム情報送信の前記セットが、ワイドビームまたは全方向性ビームの時間的繰返しを含む、請求項３７から４４のいずれか一項に記載の無線デバイス。
【請求項４６】
各システム情報送信中で受信された明示的指示とともに前記システム情報中以外で受信された前記指示は、前記送信がシステム情報送信の前記セットに属し、したがってソフト合成されることが可能であることを、前記無線デバイスが決定することを可能にする、請求項３７から４５のいずれか一項に記載の無線デバイス。
【請求項４７】
前記処理回路要素は、
前記指示に基づいて、システム情報送信の前記セットが、同じサブセット内の送信がコヒーレントにソフト合成されることが可能であり、異なるサブセット内の送信が非コヒーレントにのみソフト合成され得るような、送信の複数のサブセットを含むことを決定すること
を行うようにさらに設定された、請求項３７から４６のいずれか一項に記載の無線デバイス。
【請求項４８】
コンピュータ可読プログラムコードを備えるコンピュータプログラムであって前記コンピュータ可読プログラムコードは、無線デバイスの処理回路要素（２１２、３１５）によって実行されたとき、前記無線デバイスに、
複数のシステム情報送信を受信することであって、各送信がシステム情報を含む、複数のシステム情報送信を受信することと、
各送信について、前記それぞれの送信に関連する識別子の指示を決定することであって、前記指示が前記システム情報中以外で受信され、前記指示は、前記受信された送信がシステム情報送信のセットに属するかどうかを指示し、前記システム情報の一部分は、ソフト合成が可能にされるように前記セット内の各送信について同じであるように設定される、識別子の指示を決定することと、
ソフト合成が可能にされる前記受信された送信をソフト合成することと
を含むアクションを実施させ、
前記指示が、参照信号から前記指示を復号することによって決定される、コンピュータプログラム。
【発明の詳細な説明】
【技術分野】
【０００１】
本開示のいくつかの実施形態は、一般に無線通信に関し、より詳細には、ソフト合成を容易にするためのシステム情報（ＳＩ）の暗黙的変形形態に関する。
【背景技術】
【０００２】
第３世代パートナーシッププロジェクト（３ＧＰＰ）は、現在、第５世代（５Ｇ）システムを規格化している。５Ｇでは、無線アクセスネットワークは新しい無線（ＮＲ）と呼ばれ、コアネットワークは次世代コア（ＮＧＣ）と呼ばれる。５Ｇシステムは、しばしば、適切なカバレッジ（たとえば、セルエッジカバレッジ）を達成することが困難であり得る状況で展開される。これは、特に、高いキャリア周波数（たとえば、＞６ＧＨｚ）が利用されるときに当てはまる。ユーザ機器（ＵＥ）がカバレッジエッジにおいて経験し得る低い信号対雑音比（ＳＮＲ）または信号対干渉プラス雑音比（ＳＩＮＲ）をなくす２つの異なるやり方は、高利得ビームフォーミング（すなわち、ナロービーム（ｎａｒｒｏｗ  ｂｅａｍ））、または送信の繰返しを使用することである。
【０００３】
カバレッジエリア全体（たとえば、セル全体）において定期的に分配されなければならないシステム情報（ＳＩ）の場合、その情報はブロードキャストされ、カバレッジエリア中に存在するすべてのＵＥに宛てられる。これは、単一のＵＥに向かう適合されたビームフォーミングを除外する。代わりに、ナロービームのビームスイーピング（ｂｅａｍ  ｓｗｅｅｐｉｎｇ）（すなわち、カバレッジエリア、たとえば、セル全体がカバーされるまでのナロービームの連続的な送信）またはワイド（または全方向性）ビーム送信の繰返しのいずれかが使用される。繰返しが使用されるとき、ＵＥが、許容できるＳＮＲ／ＳＩＮＲを達成するのに十分なエネルギーを集めるために複数の送信の受信をソフト合成することができると仮定される。ナロービームのスイーピングは、ＵＥがスイープ中の２つ以上のビーム、たとえば、互いに近接した（場合によっては部分的に重複する）方向で送信された隣接するビームのセット、および／または、異なる（ｄｉｓｐａｒａｔｅ）／分岐する（ｄｉｖｅｒｇｉｎｇ）送信（ＴＸ：ｔｒａｎｓｍｉｔ／ｔｒａｎｓｍｉｓｓｉｏｎ）方向にかかわらず反射によりＵＥに達する、スイープ中の任意のビームを受信することが可能であるとすれば、複数のビーム送信のソフト合成が使用され得ることを除外しないことに留意されたい。
【０００４】
特に高い周波数における追加の課題は、いくつかのアクセスノード、たとえば、ｇＮＢがアナログビームフォーミングを使用することが予想されることである。アナログビームフォーミングは、アクセスノード／ｇＮＢが一度に１つのビーム方向（またはビーム形状）でのみ送信し（アナログＴＸビームフォーミング）、および／または一度に１つのビーム方向でのみ受信する（アナログ受信（ＲＸ：ｒｅｃｅｉｖｅ／ｒｅｃｅｐｔｉｏｎ）ビームフォーミング）ことができるという点で、方向制限を暗示する。
【０００５】
アナログ受信／送信（ＲＸ／ＴＸ：ｒｅｃｅｉｖｅ／ｔｒａｎｓｍｉｔ）ビームフォーミングを使用するときにｇＮＢが正しい方向で物理ランダムアクセスチャネル（ＰＲＡＣＨ）を監視することを保証するために、異なるＲＸ方向について異なるＰＲＡＣＨ設定が与えられ得る。ＲＸ方向をＰＲＡＣＨ設定（およびその設定を受信するＵＥ）にマッチさせるために、ＳＩ中で与えられたＰＲＡＣＨ設定は、ＳＩ送信について異なるＴＸ方向で異なる（ただし、あるＲＸ方向にマッチするＴＸ方向で送信されたＳＩは、ｇＮＢがその特定のＲＸ方向で監視するＰＲＡＣＨ設定を含む）。したがって、ビームスイープ中のＳＩの各ナロービーム送信は、異なる送信リソース（たとえば、時間／周波数リソース）を指摘するＰＲＡＣＨ設定を含んでいることがある。代替的に、ビームスイープ中のＳＩの２つのナロービーム送信、少なくとも同期信号（ＳＳ）ブロックの送信間の間隔が、ＰＲＡＣＨリソースよりも短いタイムスパンを占有する可能性があるとき、隣接するＳＩ送信のセットはあるＰＲＡＣＨリソースを指摘し得、隣接するＳＩ送信の後続のセットは別のＰＲＡＣＨリソースを指摘する。ＳＩ送信のそのようなセットは、一般に、ＰＲＡＣＨリソースの（時間的）長さに等しいタイムスパンをともに占有するべきである。
【０００６】
ＮＲの場合、ＳＩを「最小ＳＩ」と「他のＳＩ」とに分割することが決められており、ここで、最小ＳＩは、セルにアクセスするために必要とされるＳＩである。最小ＳＩはセル中で周期的にブロードキャストされ、他のＳＩは、要求に応じてブロードキャストまたは配信され、たとえば、アイドルまたは非アクティブ（すなわち、ＮＲについて同意された「新しい状態」）モードのＵＥからのランダムアクセスプリアンブルまたはランダムアクセスメッセージ３によってトリガされるか、あるいは、接続モードのＵＥからの無線リソース制御（ＲＲＣ）シグナリングを介して要求され得る。物理セル識別情報（ＰＣＩ）がそこから導出され得る２つの部分、すなわち、（１）新しい無線−１次同期信号（ＮＲ−ＰＳＳ）、および（２）新しい無線−２次同期信号（ＮＲ−ＳＳＳ）からなる周期同期信号に続いて、新しい無線−物理ブロードキャストチャネル（ＮＲ−ＰＢＣＨ）と示されたブロードキャストチャネルを送信することも決められた。一緒に、ＮＲ−ＰＳＳ＋ＮＲ−ＳＳＳ＋ＮＲ−ＰＢＣＨは、ＳＳブロックと示されたエンティティを形成する。最小ＳＩの少なくとも一部は、ＮＲ−ＰＢＣＨ上でブロードキャストされる。最小ＳＩの全部がＮＲ−ＰＢＣＨ上で送信されるかどうか、または最小ＳＩの（１つまたは複数の）どの部分がＮＲ−ＰＢＣＨ上で送信されるかは決められていない。最小ＳＩの一部は、別のチャネル上でブロードキャストされ得る。いくつかのＳＳブロック送信が一緒にひとかたまりにされ、すなわち、「ＳＳバースト」と示される、緊密な一続きで送信され得ることがさらに同意された。
【０００７】
ＮＲにおけるＳＩ（特に最小ＳＩ）の配信を構造化する１つの提案されるやり方が図１に描かれている。図１では、最小ＳＩは、２つの異なるブロードキャストチャネル上の２つの異なる部分中でブロードキャストされる。ブロードキャストチャネルは、暫定的に、１次ＰＢＣＨ（またはＮＲ−ＰＢＣＨ１）および２次ＰＢＣＨ（またはＮＲ−ＰＢＣＨ２）と呼ばれる。１次ＰＢＣＨ上でブロードキャストされる最小ＳＩの部分はマスタ情報ブロック（ＭＩＢ）と呼ばれ、２次ＰＢＣＨ上でブロードキャストされる最小ＳＩ部分は、１つまたは複数のシステム情報ブロック（ＳＩＢ）中で構造化される。ＭＩＢは、２次ＰＢＣＨを設定するデータを含んでいる。２次ＰＢＣＨ上でブロードキャストされる最小ＳＩは、「他のＳＩ」がどのように要求および配信され得るかを設定するデータを含んでいる。
【０００８】
上記で説明されたように、ＳＩは、繰り返されるワイド（または全方向性）ビームを使用する送信モードに従って、または、ナロービームのビームスイーピングを使用する送信モードに従って送信され得る。ＳＩの２つの送信モードをサポートすることに関するいくつかの問題が想定され得る。たとえば、ＳＩの２つの異なる送信モードでは、ＵＥは、何を予想すべきか、およびどのように挙動すべきか（たとえば、ソフト合成するか否か）をあらかじめ知らない。ＵＥ実装複雑さを簡略化するための統合された挙動が望ましい。しかしながら、２つのＳＩ送信モードは、本質的に異なる特性を有する。繰り返されるワイド（または全方向性）ビーム送信は、ソフト合成を必要とし、ナロービーム送信は、ビーム固有ＳＩ（またはビームのセットについて固有であるがセット間で異なるＳＩ）を与える可能性を必要とする。これらの態様は、好ましくは対処されるべきである課題をともに提起し、本開示は、これの１つまたは複数の解決策を提案する。
【発明の概要】
【０００９】
上記で説明された問題に対処するために、ＳＩ（またはＳＩの関連のある部分）がナロービームのスイーピングを使用して送信されるのかワイド（または全方向性）ビームの繰返しを使用して送信されるのかをＵＥにとって透過的にするための手段を導入することが、本明細書で提案される。これは、特にＵＥ実装形態について、統合された解決策を得て、複雑さを制限するために望ましい。したがって、ＵＥは、ワイド（または全方向性）の繰り返されるビームが使用されるのかナロースイーピングビームが使用されるのかにかかわらず、同じ挙動を使用することが可能であるべきである。ワイド（または全方向性）の繰り返されるビームはカバレッジエッジにおいてソフト合成を必要とすると仮定されるので、ＵＥは、周期的にブロードキャストされるＳＩの複数の送信をソフト合成することが可能であるべきである。これは、原則として、（複数のビームがＵＥに達するとすれば）ナロースイーピングビームについても可能であるが、これは、（上記で説明されたように、アナログビームフォーミングをサポートするために）異なるビーム（またはビームのセット）中の異なるＳＩコンテンツと協働しない。
【００１０】
本開示のいくつかの実施形態は、上記のジレンマを克服するために２つの解決策構成要素を提供する。解決策の第１の構成要素は、（ナロービームのスイープまたは繰り返されるワイド（または全方向性）ビーム中の）ＳＩのマルチ送信における送信番号の指示のための暗黙的手段を含み、ただし、この指示は送信されるＳＩ中に含まれない。この手段は、ＳＳブロック中の追加の成分（たとえば、同期信号および／または参照信号の特性と同様の特性をもつ信号）、送信されるＳＩ（たとえば、ＮＲ−ＰＢＣＨまたはＮＲ−ＰＢＣＨ１送信）の異なるスクランブリング、異なるＮＲ−ＳＳＳシーケンス、異なるＮＲ−ＰＳＳシーケンス、ならびに／あるいは異なるＮＲ−ＰＳＳ／ＮＲ−ＳＳＳ組合せからなり得る。解決策の第２の構成要素は、送信番号に依存するＳＩ差分を設定するための手段を含む。
【００１１】
提案された解決策の場合、ＵＥの挙動はＳＩ送信モードに依存しない。ＵＥは、ＵＥがＳＩを復号するのに十分なエネルギーを集めるまでＳＩの後続の送信をソフト合成し、送信番号に依存するＳＩパラメータを導出するために暗黙的送信番号指示を使用する。
【００１２】
提案された解決策の場合、ネットワークは、２つの上記で説明された異なるＳＩ送信モード、すなわち、ナロービームのスイーピングまたはワイド（たとえば、セクタまたは全方向性）ビームの繰返しのいずれかまたは両方、あるいはその中間の何か（たとえば、１つまたは数個の繰返しをもつセミワイド／セミナロービームのスイーピング）をサポートすることができる。これは、ＵＥの挙動がＳＩ送信モードにかかわらず同じであり得るという有利な簡略化で達成される（すなわち、ＵＥの観点から、これは、ＳＩ送信モードに依存しない統合された解決策である）。
【００１３】
本明細書で開示される実施形態は、異なる送信における異なるＳＩ設定にもかかわらず、ＳＩの公称ビットコンテンツをすべての送信において同じに保つが、ＳＩ中の送信番号および１つまたは複数の送信番号依存パラメータを指示するためにＳＩ外部手段を使用することによって、複数のＳＩ送信のソフト合成を可能にする。これは、ネットワーク態様およびＵＥ態様において反映され得る。
【００１４】
いくつかの事例では、ネットワークは、ＳＩ中にＳＩ送信番号依存ＳＩパラメータ規定を含め、この情報をＳＩ送信のセットにわたって無矛盾に保つが、ＳＩ送信のセット中のＳＩ送信の順序番号は、実際のＳＩコンテンツを伴わない手段によって暗黙的に指示される。この暗黙的指示は、（たとえば、ＳＳブロック中の）追加の信号成分、異なるＳＩ送信の異なるスクランブリング、異なるＮＲ−ＳＳＳシーケンス、または異なるＮＲ−ＰＳＳシーケンスに基づき得る。
【００１５】
いくつかの実施形態では、ＵＥは、ＳＩ送信モードにかかわらず無矛盾な挙動を維持する。ＵＥは、ＵＥがＳＩを復号することができるまで連続ＳＩ送信をソフト合成することを試み、次いで、暗黙的ＳＩ送信番号指示を使用して、（１つまたは複数の）ＳＩ送信番号依存ＳＩパラメータを導出する。
【００１６】
送信番号指示自体は、ソフト合成され得るＳＩ送信のセットを指示するために使用され得るが、そのような指示と、各セット内でソフト合成され得るが異なるセットにわたってソフト合成されないことがあるＳＩ送信のセットの分離とのための他の手段を使用することも有用であり得る。一実施形態では、ＵＥは、ＵＥがＳＩの２つの受信された送信、たとえば、ブロードキャストチャネル送信（たとえば、ＮＲ−ＰＢＣＨまたは１次ＮＲ−ＰＢＣＨ）をソフト合成することができるかどうかを決定するために、第１の信号シーケンス（３次同期信号（ＴＳＳ））と、第２の信号シーケンス（ＮＲ−ＰＳＳ）と、時間ウィンドウ（最大ＳＳバースト持続時間）とを使用する。いくつかの実施形態では、送信番号指示は、シンボル番号指示と置き換えられる。
【００１７】
いくつかの実施形態によれば、ネットワークノードが開示される。ネットワークノードは、処理回路要素とインターフェースとを備える。処理回路要素は、システム情報送信のセットを準備するように設定される。セット内の各送信はシステム情報を含む。送信のセットは、システム情報の一部分がセット内の各送信について同じであるように設定することによってソフト合成を可能にする。処理回路要素はまた、各送信について、それぞれの送信に関連する識別子の指示を準備するように設定される。指示は、システム情報中以外で与えられる。インターフェースは、システム情報送信のセットと、各それぞれの送信に関連する識別子の指示とを送信するように設定される。
【００１８】
いくつかの実施形態によれば、ネットワークノードにおいて使用するための方法が開示される。本方法は、システム情報送信のセットを送信することを含む。セット内の各送信はシステム情報を含み、送信のセットは、システム情報の一部分がセット内の各送信について同じであるように設定することによってソフト合成を可能にする。各送信について、本方法は、それぞれの送信に関連する識別子の指示を与えることを含む。指示は、システム情報中以外で与えられる。
【００１９】
いくつかの実施形態によれば、コンピュータプログラム製品が開示される。本コンピュータプログラム製品は、非一時的コンピュータ可読記憶媒体を備え、非一時的コンピュータ可読記憶媒体は、媒体において具現されたコンピュータ可読プログラムコードを有する。コンピュータ可読プログラムコードは、ネットワークノードの処理回路要素によって実行されたとき、ネットワークノードにアクションを実施させる。アクションは、システム情報送信のセットを送信することを含む。セット内の各送信はシステム情報を含む。送信のセットは、システム情報の一部分がセット内の各送信について同じであるように設定することによってソフト合成を可能にする。アクションは、各送信について、それぞれの送信に関連する識別子の指示を与えることであって、指示がシステム情報中以外で与えられる、識別子の指示を与えることをも含む。
【００２０】
前の３つの段落で説明された実施形態（たとえば、ネットワークノード、ネットワークノードにおいて使用するための方法、および／またはネットワークノードの処理回路要素によって実行されるコンピュータ可読プログラムコード）のいずれも、以下の特徴のうちの１つまたは複数など、様々な追加の特徴を含み得る。
【００２１】
いくつかの実施形態では、セット内の各送信は、関連する送信番号を有し、送信番号は、少なくとも部分的に指示によって与えられた識別子から、導出され得る。
【００２２】
いくつかの実施形態では、セット内の各送信は、関連するシンボル番号を有し、指示によって与えられた識別子は、それぞれの送信のシンボル番号に対応する。
【００２３】
いくつかの実施形態では、システム情報の一部分は、それぞれの送信に関連する識別子に依存するコンテンツを含む。
【００２４】
いくつかの実施形態では、物理ランダムアクセスチャネル（ＰＲＡＣＨ）設定は、送信のうちの１つに関連するＰＲＡＣＨ設定が送信のうちの別のものに関連するＰＲＡＣＨ設定とは異なるように、それぞれの送信に関連する識別子に依存する。
【００２５】
いくつかの実施形態では、指示は、参照信号上で指示を符号化することによって与えられる。いくつかの実施形態では、参照信号は、指示にマッピングする関連するインデックスを有し、符号化することは、暗黙的に与えられる（たとえば、システム情報中以外で与えられる）べきである指示にマッピングするインデックスに関連する参照信号を選択することからなる。
【００２６】
いくつかの実施形態では、指示は、セット内の各送信のために異なるスクランブリングを使用することによって与えられる。
【００２７】
いくつかの実施形態では、指示は、セット内の各送信について、異なる１次同期シーケンス（ＰＳＳ）、異なる２次同期シーケンス（ＳＳＳ）、または異なるＰＳＳ／ＳＳＳ組合せを使用することによって与えられる。
【００２８】
いくつかの実施形態では、各システム情報送信中で与えられた明示的指示とともにシステム情報中以外で与えられた指示は、送信がシステム情報送信のセットに属し、したがってソフト合成されることが可能であることを、無線デバイスが決定することを可能にする。
【００２９】
いくつかの実施形態では、システム情報送信のセットは、システム情報の空間的繰返しを与えるナロービームのスイープを使用して送信される。
【００３０】
いくつかの実施形態では、システム情報送信のセットは、システム情報の時間的繰返しを与えるワイドビームまたは全方向性ビームを使用して送信される。
【００３１】
いくつかの実施形態では、指示は、送信がシステム情報送信のセットに属し、したがってソフト合成されることが可能であることを、無線デバイスが決定することを可能にする。
【００３２】
いくつかの実施形態では、システム情報送信の第２のセットが送信され、指示は、システム情報送信の第１のセットに属する送信がシステム情報送信の第２のセットに属する送信とソフト合成され得ないことを無線デバイスが決定することを可能にする。
【００３３】
いくつかの実施形態では、システム情報送信の第２のセットが送信される。システム情報送信の第１のセットおよびシステム情報送信の第２のセット中の各システム情報送信中で与えられた明示的指示とともにシステム情報中以外で与えられた指示により、無線デバイスが、システム情報送信の第１のセットに属する送信がシステム情報送信の第２のセットに属する送信とソフト合成され得ないことと、システム情報送信の第１のセットに属する送信のうちの１つが、システム情報送信の第１のセットに属する他の送信とソフト合成されることが可能であることと、システム情報送信の第２のセットに属する送信のうちの１つが、システム情報送信の第２のセットに属する他の送信とソフト合成されることが可能であることとを決定することが可能になる。
【００３４】
いくつかの実施形態では、システム情報送信のセットは、送信の複数のサブセットを含み、指示は、同じサブセット内の送信をコヒーレントにソフト合成することと、異なるサブセット内の送信を非コヒーレントにソフト合成することとを可能にする。
【００３５】
いくつかの実施形態によれば、無線デバイスが開示される。本無線デバイスは、インターフェースと処理回路要素とを備える。インターフェースは、複数のシステム情報送信を受信するように設定され、各送信はシステム情報を含む。処理回路要素は、各送信について、それぞれの送信に関連する識別子の指示を決定するように設定される。指示は、システム情報中以外で受信される。指示は、受信された送信がシステム情報送信のセットに属するかどうかを指示し、システム情報の一部分は、ソフト合成が可能にされるようにセット内の各送信について同じであるように設定される。処理回路要素は、ソフト合成が可能にされる受信された送信をソフト合成するように設定される。
【００３６】
いくつかの実施形態によれば、無線デバイスにおいて使用するための方法が開示される。本方法は、複数のシステム情報送信を受信することであって、各送信がシステム情報を含む、複数のシステム情報送信を受信することと、各送信に関連する識別子の指示を決定することとを含む。指示は、システム情報中以外で受信され、指示は、受信された送信がシステム情報送信のセットに属するかどうかを指示し、システム情報の一部分は、ソフト合成が可能にされるようにセット内の各送信について同じであるように設定される。本方法は、ソフト合成が可能にされる受信された送信をソフト合成することを含む。
【００３７】
いくつかの実施形態によれば、コンピュータプログラム製品が開示される。本コンピュータプログラム製品は、非一時的コンピュータ可読記憶媒体を備える。非一時的コンピュータ可読媒体は、媒体において具現されたコンピュータ可読プログラムコードを有する。コンピュータ可読プログラムコードは、無線デバイスの処理回路要素によって実行されたとき、無線デバイスにアクションを実施させる。アクションは、複数のシステム情報送信を受信することであって、各送信がシステム情報を含む、複数のシステム情報送信を受信することと、各送信に関連する識別子の指示を決定することとを含む。指示は、システム情報中以外で受信され、指示は、受信された送信がシステム情報送信のセットに属するかどうかを指示し、システム情報の一部分は、ソフト合成が可能にされるようにセット内の各送信について同じであるように設定される。アクションは、ソフト合成が可能にされる受信された送信をソフト合成することを含む。
【００３８】
前の３つの段落で説明された実施形態（たとえば、無線デバイス、無線デバイスにおいて使用するための方法、および／または無線デバイスの処理回路要素によって実行されるコンピュータ可読プログラムコード）のいずれも、以下の特徴のうちの１つまたは複数など、様々な追加の特徴を含み得る。
【００３９】
いくつかの実施形態では、セット内の各送信は、関連する送信番号を有し、送信番号は、少なくとも部分的に指示中で受信された識別子から、導出され得る。
【００４０】
いくつかの実施形態では、セット内の各送信は、関連するシンボル番号を有し、指示中で受信された識別子は、それぞれの送信のシンボル番号に対応する。
【００４１】
いくつかの実施形態では、無線デバイス／方法／コンピュータ可読プログラムコードは、受信された送信のソフト合成に基づいて、セット中の各送信について同じであるシステム情報の一部分を決定する（送信のうちの１つのみからシステム情報の送信固有部分を決定する）。
【００４２】
いくつかの実施形態では、物理ランダムアクセスチャネル（ＰＲＡＣＨ）設定は、送信のうちの１つに関連するＰＲＡＣＨ設定が送信のうちの別のものに関連するＰＲＡＣＨ設定とは異なるように、それぞれの送信に関連する識別子に依存する。
【００４３】
いくつかの実施形態では、指示は、参照信号から指示を復号することによって決定される。
【００４４】
いくつかの実施形態では、指示は、セット内の各送信のために使用される異なるスクランブリングに基づいて決定される。
【００４５】
いくつかの実施形態では、指示は、各送信に基づいて、異なる１次同期シーケンス（ＰＳＳ）、異なる２次同期シーケンス（ＳＳＳ）、または異なるＰＳＳ／ＳＳＳ組合せを使用して決定される。
【００４６】
いくつかの実施形態では、各システム情報送信中で受信された明示的指示とともにシステム情報中以外で受信された指示は、送信がシステム情報送信のセットに属し、したがってソフト合成されることが可能であることを、無線デバイスが決定することを可能にする。
【００４７】
いくつかの実施形態では、システム情報送信のセットは、システム情報の空間的繰返しを与えるナロービームのスイープを含む。
【００４８】
いくつかの実施形態では、システム情報送信のセットは、ワイドビームまたは全方向性ビームの時間的繰返しを含む。
【００４９】
いくつかの実施形態では、無線デバイス／方法／コンピュータ可読プログラムコードは、システム情報送信の第２のセットを受信し、指示に基づいて、システム情報送信の第１のセットに属する送信が、システム情報送信の第２のセットに属する送信とソフト合成され得ないことを決定する。
【００５０】
いくつかの実施形態では、無線デバイス／方法／コンピュータ可読プログラムコードは、システム情報送信の第２のセットを受信する。システム情報送信の第１のセットおよびシステム情報送信の第２のセット中の各システム情報送信中で受信された明示的指示とともにシステム情報中以外で受信された指示により、無線デバイスが、システム情報送信の第１のセットに属する送信がシステム情報送信の第２のセットに属する送信とソフト合成され得ないことと、システム情報送信の第１のセットに属する送信のうちの１つが、システム情報送信の第１のセットに属する他の送信とソフト合成されることが可能であることと、システム情報送信の第２のセットに属する送信のうちの１つが、システム情報送信の第２のセットに属する他の送信とソフト合成されることが可能であることとを決定することが可能になる。
【００５１】
いくつかの実施形態では、無線デバイス／方法／コンピュータ可読プログラムコードは、指示に基づいて、システム情報送信のセットが、同じサブセット内の送信がコヒーレントにソフト合成されることが可能であり、異なるサブセット内の送信が非コヒーレントにのみソフト合成され得るような、送信の複数のサブセットを含むことを決定する。
【００５２】
本明細書で開示される実施形態のいずれかの任意の特徴は、適切であればいかなる場合も、任意の他の実施形態に適用され得ることに留意されたい。同じように、実施形態のいずれかの任意の利点は、他の実施形態に適用され得、その逆も同様である。上記で説明されたように、いくつかの実施形態の利点は、ＳＩ（またはＳＩの関連のある部分）がナロービームのスイーピングを使用して送信されるのかワイド（または全方向性）ビームの繰返しを使用して送信されるのかを無線デバイスにとって透過的にすることを含む。これは、それぞれ、ＳＩの送信および受信に関するネットワークノードおよび無線デバイス複雑さを低減し得る。同封の実施形態の他の目的、特徴、および利点は、以下の説明から明らかになろう。
【００５３】
概して、本明細書で使用されるすべての用語は、本明細書で別段明示的に規定されない限り、本技術分野におけるその通例の意味に従って解釈されるべきである。「１つの（ａ／ａｎ）／その（ｔｈｅ）要素、装置、構成要素、手段、ステップなど」へのすべての言及は、別段明示的に述べられていない限り、その要素、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【図面の簡単な説明】
【００５４】
【図１】いくつかの実施形態による、ＮＲシステム情報分配の潜在的解決策の概観を示す図である。
【図２】いくつかの実施形態による、例示的な無線ネットワークのブロック図である。
【図３】いくつかの実施形態による、例示的なユーザ機器のブロック図である。
【図４】いくつかの実施形態による、ネットワークノードによって実施され得る方法の一例を示す図である。
【図５】いくつかの実施形態による、無線デバイスによって実施され得る方法の一例を示す図である。
【図６】いくつかの実施形態による、無線デバイスによって実施され得る方法の一例を示す図である。
【図７】いくつかの実施形態による、無線デバイスによって実施され得る方法の一例を示す図である。
【図８】いくつかの実施形態による、無線デバイスによって実施され得る方法の一例を示す図である。
【発明を実施するための形態】
【００５５】
添付の図面を参照しながら、次に、本明細書で企図された実施形態のうちのいくつかが以下でより十分に説明される。しかしながら、他の実施形態は、本開示の範囲内に含まれ、本発明は、本明細書で記載される実施形態のみに限定されるものとして解されるべきではない。むしろ、これらの実施形態は、当業者に発明的概念の範囲を伝達するために、例として提供される。同様の番号は、説明全体にわたって同様の要素を指す。
【００５６】
提案される解決策においてとられる第１の手法は、ＳＩ（またはＳＩの関連のある部分）がナロービームのスイーピングを使用して送信されるのかワイド（または全方向性）ビームの繰返しを使用して送信されるのかをＵＥにとって透過的にするための手段を導入することである。これは、特にＵＥ実装形態について、統合された解決策を得て、複雑さを制限するために望ましい。したがって、ＵＥは、ワイド（または全方向性）ビームが使用されるのかナロービームが使用されるのかにかかわらず、同じ挙動を使用することが可能であるべきである。ワイド（または全方向性）ビームはカバレッジエッジにおいてソフト合成を必要とすると仮定されるので、ＵＥは、周期的にブロードキャストされるＳＩの複数の送信をソフト合成することが可能であるべきである。これは、原則として、（複数のビームがＵＥに達するとすれば）ナロービームについても可能であるが、これは、（上記で説明されたように、アナログビームフォーミングをサポートするために）異なるビーム（またはビームのセット）中の異なるＳＩコンテンツと協働しない。
【００５７】
この「第１の手法」に関する欠点は、同じビーム中で異なる繰返しが送信されること（時間繰返し）をＵＥが知っている場合は、ＵＥが受信することができる繰返しのコヒーレントソフト合成をＵＥが実施することができることである。ＵＥがそのことを知らない場合、ＵＥは、ＳＩの異なる受信された繰返しが、異なるビームフォーミングを使用して（たとえば、ビームスイーピングを使用して）送信された可能性があると仮定しなければならず、その場合、非コヒーレントソフト合成のみが実施され得る。ネットワークが時間的繰返しを使用するのか空間的繰返しを使用するのかを確実に知らない場合、ＵＥは、非コヒーレントソフト合成を実施しなければならない。いくつかの実施形態では、ＵＥは、コヒーレントソフト合成が使用され得るかどうかをＵＥが知ることを可能にする情報を与えられる。例は、コヒーレント対非コヒーレント合成の指示という以下でさらに説明される見出しの下で、さらに説明される。いくつかの実施形態では、ＵＥはまた、仮説検定を実施し、たとえば、非コヒーレント合成のみを使用してＳＩを受信しようとし、非コヒーレント合成のみを使用してＳＩを受信することが失敗した場合、コヒーレント合成を使用してＳＩを受信しようとすることができる（その逆も同様）。
【００５８】
したがって、提案される解決策は、複数の送信が繰り返されるワイド（または全方向性）ビームを使用して送信されるのかスイープされるナロービームを使用して送信されるのかにかかわらず、ＳＩコンテンツを複数の送信において同じに保つことを含む。異なる設定、たとえば、異なるＰＲＡＣＨ設定、および／または、ＵＥがマルチＳＩ送信中のどの送信を受信するかに応じた、たとえば、ＵＥ挙動に関する、弁別をサポートするために、解決策は、第１の主要な解決策構成要素として、マルチＳＩ送信中の（実際のＳＩコンテンツ中に含まれない）送信の順序の暗黙的指示（たとえば、スイープ中のどのナロービームか、またはワイド（または全方向性）ビームのどの繰返しか）を含む。
【００５９】
暗黙的指示は、たとえば、異なるやり方で（異なる実施形態として）与えられ得る。
−  ＳＳブロック中の追加の成分、たとえば、同期信号および／または参照信号の特性と同様の特性をもつ信号。異なる信号シーケンスがＳＩのマルチ送信の各送信のために使用され、信号シーケンスと送信番号との間のマッピングは、好ましくは標準化を通してハードコーディングされるが、ＳＩ中で指示されることもある。たとえば、初期アクセスは標準においてハードコーディングされたマッピングを使用して実施され得るが、ＵＥがＳＩを読み取ると、後続のアクセスのためのマッピングがＳＩから導出され得る。この新しい信号は、「指示信号」（ＩＳ）と呼ばれることがある。
−  ＳＩコンテンツのスクランブリング。ＳＩのマルチ送信の各送信中のＳＩコンテンツに異なるスクランブリングが適用される。スクランブリングと送信番号との間のマッピングは、好ましくは標準化を通してハードコーディングされるが、ＳＩ中で指示されることもある。たとえば、初期アクセスは標準においてハードコーディングされたマッピングを使用して実施され得るが、ＵＥがＳＩを読み取ると、後続のアクセスのためのマッピングがＳＩから導出され得る。（いくつかの実施形態では、ＳＩ中での指示は、後のステップであり、すなわち、時間オフセットが何のために使用されるかであり得、たとえば、あるＲＡ設定を選択する）。
−  異なるＮＲ−ＳＳＳ。ＳＩのマルチ送信の各送信のためにＳＳブロック中で異なるＮＲ−ＳＳＳシーケンスが使用される。ＮＲ−ＳＳＳシーケンスと送信番号との間のマッピングは、好ましくは標準化を通してハードコーディングされる。これは、ＳＩのマルチ送信中のすべての異なるＮＲ−ＳＳＳシーケンスが、同じＮＲ−ＰＳＳとともに同じＰＣＩを指示すべきであるので、かなりの数の一意のＮＲ−ＳＳＳシーケンスを必要とすることに留意されたい。
−  異なるＮＲ−ＰＳＳ／ＮＲ−ＳＳＳ組合せ。これは、ＮＲ−ＳＳＳシーケンスの変形形態のみを使用する方法の変形形態である。一意のＮＲ−ＳＳＳシーケンスの必要とされる数を低減するために、ＮＲ−ＰＳＳシーケンスの数もわずかに増加される。次に、ＳＩのマルチ送信の各送信が、異なるＮＲ−ＰＳＳ／ＮＲ−ＳＳＳ組合せの先行され得る。ＮＲ−ＰＳＳ／ＮＲ−ＳＳＳ組合せと送信番号との間のマッピングは、好ましくは標準化を通してハードコーディングされる。ＳＩのマルチ送信中のすべての異なるＮＲ−ＰＳＳ／ＮＲ−ＳＳＳ組合せは同じＰＣＩを指示すべきであることに留意されたい。
【００６０】
送信番号指示特性（たとえば、シーケンス）と送信番号との間のマッピングは、ＵＥが、ソフト合成され得るＳＩ送信のシーケンスの開始を識別し、ならびに、２つのＳＩ送信がソフト合成のためにＳＩ送信の異なるセットにいつ属するかを検出することを可能にする（すなわち、ＵＥは、２つのＳＩ送信がいつソフト合成され得ないかを検出することができる）ことに留意されたい。
【００６１】
第２の解決策構成要素は、送信番号に依存するＳＩ差分を設定するための手段を含み得る。そのような設定手段の重要な特性は、ＳＩ中の設定パラメータが、送信番号を考慮に入れるときに異なる設定が導出されることを可能にするにもかかわらず、（上記で説明されたようにソフト合成を可能にするために）一定数のＳＩ送信にわたって同じのままであることである。たとえば、送信ごとのＰＲＡＣＨ時間／周波数（Ｔ／Ｆ）リソースの設定は、以下の通りであり得る。
Ｆ＝サブキャリアＸ〜Ｙ
Ｔ＝サブフレームＱ（ここで、ＱはＳＩ送信の時間のオフセットである）
ＰＲＡＣＨ時間／周波数（Ｔ／Ｆ）リソースが送信のセットごとに設定される別の例は、以下の通りであり得る。
Ｆ＝サブキャリアＸ〜Ｙ
Ｔ＝サブフレームＱ−（ＮＴ  ｍｏｄｕｌｏ  Ｍ）
【００６２】
上記では、Ｑは固定時間オフセットであり、ＮＴは送信番号［０、１、２．．．］であり、Ｍはセット中の連続送信の数であり、式Ｑ−（ＮＴ  ｍｏｄｕｌｏ  Ｍ）は、ＳＩ送信の時間に関する時間オフセットを規定する。
【００６３】
上述のように、提案される解決策の一態様は、ＵＥの挙動がＳＩ送信モードにかかわらず同じであり得ることである。したがって、ＵＥは、ＵＥがＳＩを復号するのに十分なエネルギーを集めるまでＳＩの後続の送信をソフト合成し、送信番号に依存するＳＩパラメータを導出するために暗黙的送信番号指示を使用する。ナロービームのスイープの場合、ＵＥは、一般に、単一のビームを受信することから十分なエネルギーを集めるが、他の場合、ある程度のエネルギーを伴う、ＵＥに達する他のビームの送信を受信し、ソフト合成することを試みることができる。
【００６４】
ＵＥのこのＳＩ送信モード非依存挙動は、オペレータが、繰り返されるワイド（たとえば、セクタまたは全方向性）ビームからナロー高利得ビームのスイープにわたる任意のＳＩ送信モードを使用して、そのネットワークを展開し、次元決定し（ｄｉｍｅｎｓｉｏｎ）、設定するためのフルフレキシビリティを可能にする。ナロー高利得ビームは、一般に、ＵＥが、単一の送信（ＵＥのほうへ最も正確にダイレクトされるビーム）からＳＩを復号することを可能にする。ネットワークが（スイープが崩れて同じセクタビームまたは全方向性ビームの繰返しになるまで）スイープ中で使用するビームがワイドになるほど、ＵＥがＳＩを復号するために一般に必要とする受信が多くなり、ＵＥがＳＩを復号するために繰返しおよびソフト合成を必要とするセルエッジ内のゾーンが大きくなる。したがって、ナロー高利得ビームのスイープは、各ビームが１回のみ送信される単一のスイープであり得る。一方、セミワイド／セミナロービームのスイープは、（次のビームが送信される前に各ビームを繰り返すことによって、または、フルスイープを繰り返すこと、すなわち、同じフルスイープを再び繰り返す前に最初のフルスイープを終えることによってのいずれかで）繰り返されなければならない。
【００６５】
一実施形態では、ＳＩ送信番号指示ならびにソフト合成され得るＳＩ送信シーケンスの指示は、以下のように扱われる。
【００６６】
ＳＩ送信番号指示は、ＳＳバーストにおいて各ＳＳブロックについて連続的に増分される。ＳＳバーストにおけるＳＩ送信が複数のセットに分割され、あるセットのＳＩ送信がソフト合成され得るが、異なるセットにおけるＳＩ送信がソフト合成され得ない場合、ＳＩ送信の異なるセットは、異なるセット間でＮＲ−ＳＳＳを変更することによって区別される。そのようなＮＲ−ＳＳＳ変更の１つの有利なやり方は、ＳＩ送信の連続セット間の２つの異なるシーケンス間でＮＲ−ＳＳＳをトグルすることである。代替形態は、ＮＲ−ＳＳＳにＳＩ送信の連続セットのための数Ｎ＞２の異なるシーケンスを循環させることである。ＮＲ−ＳＳＳのこの使用は、ＳＩ送信番号指示が、ＳＳバースト全体においてＳＩ送信番号を指示するためにセットにわたって連続的に増分されることを可能にする。
【００６７】
好ましい実施形態では、ＳＩ送信番号指示のタイプは、（ＳＩの外側に位置する）ＳＳブロック中の上述の追加の成分である。この成分は、ここでは３次同期信号（ＴＳＳ）（ＴＳＳはＥＳＳ（拡張同期信号）としても知られる）として示された、同期信号および／または参照信号の特性と同様の特性をもつ信号であり得る。
【００６８】
この方式の場合、ＵＥは、ＵＥが、ＮＲ−ＳＳＳが同一であるがＴＳＳが異なるある時間ウィンドウ内で２つまたはそれ以上のＳＳブロックを受信する場合、ＵＥがこれらのＳＩ送信（たとえば、ＮＲ−ＰＢＣＨまたは１次ＮＲ−ＰＢＣＨ）をソフト合成することができることを知る。ＮＲ−ＳＳＳが異なる場合、ＵＥはＳＩ送信（たとえば、ＮＲ−ＰＢＣＨまたは１次ＮＲ−ＰＢＣＨ送信）をソフト合成することができず、代わりに、ＵＥは最も強いＳＩ送信を選択し、そのＳＩ送信のみを復号する。時間ウィンドウは、好ましくは、ＳＳバーストの最大持続時間である。
【００６９】
異なるＮＲ−ＳＳＳを循環させることが、ソフト合成が可能であるかどうかを指示する唯一のやり方ではない。異なるＮＲ−ＰＳＳを循環させることも可能である。同じセル中の複数の異なるＮＲ−ＳＳＳまたはＮＲ−ＰＳＳを使用するとき、同じセル内で送信されるＮＲ−ＰＳＳ＋ＮＲ−ＳＳＳの組合せがすべて同じＰＣＩにマッピングしなければならないことに留意されたい。
【００７０】
また別の代替形態は、「追加のＳＳブロック成分」、たとえば、ＴＳＳの複数のグループを規定することであり、ここで、各グループは、ビームの最大数のビームスイープのための連続する番号シリーズを与えるために必要とされる数のすべての数を指示するために必要とされる信号を含んでいる。そのようなグループを循環させることによって、ソフト合成する可能性は、ちょうど、異なるＮＲ−ＳＳＳまたはＮＲ−ＰＳＳを循環させるときのように指示され得る。２つのＴＳＳシリーズ間の循環変更（すなわち、２つのシリーズ間でのトグリング）が、４つのＳＩ送信のグループがソフト合成され得る（ただし、グループにわたってソフト合成され得ない）例において使用される場合、３つのそのような連続するグループについての送信番号指示は、以下の通りである。
ＴＳＳＡ１、ＴＳＳＡ２、ＴＳＳＡ３、ＴＳＳＡ４、ＴＳＳＢ５、ＴＳＳＢ６、ＴＳＳＢ７、ＴＳＳＢ８、ＴＳＳＡ９、ＴＳＳＡ１０、ＴＳＳＡ１１、ＴＳＳＡ１２、．．．
【００７１】
グループにわたって連続する番号付けを使用することの代替形態は、グループごとに番号付けを再開することであり得る。
【００７２】
コヒーレント対非コヒーレント合成の指示
解決策は、ＳＳバーストにおける（ＳＳブロック中の）ＳＩ送信がコヒーレントに合成され得るかどうか、または、それらのＳＩ送信が非コヒーレントに合成されなければならないかどうかをＵＥに指示するために使用される特徴で拡張され得る。これを可能にするために、ＮＲ−ＰＳＳシーケンスは２つのグループに分割され得る。第１のＮＲ−ＰＳＳシーケンスグループは、ネットワークが、ＳＳバーストにおけるすべてのＳＳブロックについて同一のビームフォーミングを使用していること、たとえば、時間繰返しを指示し、これは、コヒーレント合成を可能にする。第２のＮＲ−ＰＳＳシーケンスグループは、ネットワークが、ＳＳバーストにおけるすべてのＳＳブロックについて異なるビームフォーミングを使用し得ること、たとえば、ビームスイーピングを指示し、これは、非コヒーレント合成が必要とされることを暗示する。
【００７３】
これはまた、観測されたＳＳブロックが、ＵＥがセル中で移動するにつれて時間的にシフトされることを予想され得るかどうかをＵＥに通知する。第１のグループからのＮＲ−ＰＳＳシーケンスが観測された場合、ＵＥは、時間繰返しが使用され、受信されるＳＳブロックのタイミングが、ＵＥがセル内で移動するにつれて変化しないことを知る。第２のグループからのＮＲ−ＰＳＳシーケンスが観測された場合、ＵＥは、ビームスイーピングが使用され得、受信されるＳＳブロックのタイミングが、ＵＥが別のビームのカバレッジ中に移動する場合に変化し得ることを知る。
【００７４】
この情報、すなわち、観測されたＳＳブロックタイミングがセル内モビリティ中にジャンプすることが予想され得るか否かは、ＵＥがＳＳブロックをリッスンすることをいつ開始すべきか（他の場合は低電力スリープモードにある）を決定するために有用であり得る。第１のグループからのＮＲ−ＰＳＳシーケンスが使用される場合、ＵＥは、ＳＳバーストにおける任意のＳＳブロックをリッスンすることができ、内部クロックドリフトおよび回路要素スターアップ時間のみを考慮に入れるマージンを伴ってＳＳブロックを受信するためにちょうど適時に起動することができる。第２のグループからのＮＲ−ＰＳＳシーケンスが使用される場合、ＵＥは、ＳＳブロックが前のＳＳブロック受信とは異なるタイミングで受信され得ると仮定しなければならず、その場合、ＵＥは、ＳＳバーストの最初にＳＳブロックをリッスンすることを開始するべきである。随意に、ＵＥは、たとえば、ＵＥがＳＳブロックを受信した前の時間にＵＥが受信したＳＳブロックの前に、ＳＳブロック送信のために時間的にあまりマージンを伴わずに起動することができる。これは、ＵＥが、ＵＥがゆっくり移動している（またはまったく移動していない）ことを知っており、隣接するビームが連続的に送信され、ビームのカバレッジから別のカバレッジに移動するとき、新しいビームが、古いビームの前または後に送信される隣接するビームである可能性があるという仮定に基づく。ただし、ＵＥがビームカバレッジから少ししか移動しない場合でも、ＵＥが、完全に異なる方向で送信されるが、反射され、したがって、その古いビームの境界におけるその位置にあるＵＥにも達する別のビームのカバレッジに移動することが可能であることに留意されたい。
【００７５】
コヒーレント対非コヒーレント合成の指示について上記で提案されたＮＲ−ＰＳＳシーケンスの２つのグループがまた、ＳＳＳシーケンスの２つのグループ、ＴＳＳシーケンス（または他の「ＳＳブロックの追加の成分）の２つのグループ、またはスクランブリングシーケンスの２つのグループと置き換えられ得ることに留意されたい。上記のことにかかわらず、３つのグループを使用することもでき、１つのグループは、時間繰返しを用いたワイドビームＳＳブロック送信を指示し、１つのグループはＳＳブロック送信のビームスイーピングを指示し（ここで、ＵＥは、ＵＥが別のビームのカバレッジに移動する場合にＳＳブロック送信が時間的にシフトされ得ることを準備されなければならない）、ここでＳＩ送信が非コヒーレントに合成され得、１つのグループが、ＳＳブロック送信中のＳＩのコンテンツが異なるビーム間で異なり得るので、ソフト合成が可能でないＳＳブロック送信のビームスイーピングを指示する。
【００７６】
送信番号の代わりのシンボル番号
いくつかの実施形態では、暗黙的送信番号指示は、暗黙的シンボル番号指示と置き換えられ得る。すなわち、指示は、サブフレーム中のどのシンボル中でＳＩ送信（すなわち、ＳＳブロック送信）が開始するかを指示する。これは、番号付けがあらゆる新しいサブフレームにおいて再開されることを意味することに留意されたい。
【００７７】
一例として、サブフレームが、１から１４まで（または０から１３まで）番号付けされた、１４個のシンボルからなる無線インターフェース構造を考慮し、各ＳＳブロック送信が４つのシンボルを占有すると仮定する。ＳＳバーストにおける第１のＳＳブロック送信が常にシンボル番号１で開始すると仮定すると、ＳＳブロック送信が開始し得る可能なシンボル番号は、１、５、９、１３（ＳＳバーストの第１のサブフレームおよび次いで１つおきのサブフレーム）および３、７、１１（ＳＳバーストの第２のサブフレームおよび次いで１つおきのサブフレーム中）、すなわち、全部で７つの異なるシンボル番号である。これは、この例では、すべての関連のあるシンボル番号を指示することが可能であるために、７つの異なるインジケータ値、たとえば、ＴＳＳシーケンスが必要とされることを意味する。
【００７８】
送信番号ではなくシンボル番号を指示することの利点は、より少数の異なるインジケータ値、たとえば、ＴＳＳシーケンスが必要とされることである。一方、シンボル番号依存ＳＩパラメータ修正を規定するルールは、送信番号依存ＳＩパラメータ修正を規定するルールよりも複雑であり得る。
【００７９】
上記で説明された解決策は、任意の好適な構成要素を使用する任意の適切なタイプのシステムにおいて実装され得るが、説明された解決策の特定の実施形態は、図２に示されている例示的な無線通信ネットワークなどの無線ネットワークにおいて実装され得る。図２の例示的な実施形態では、無線通信ネットワークは、通信および他のタイプのサービスを１つまたは複数の無線デバイスに与える。図示の実施形態では、無線通信ネットワークは、無線通信ネットワークによって与えられるサービスへの無線デバイスのアクセスおよび／またはそれらのサービスの使用を容易にするネットワークノードの１つまたは複数のインスタンスを含む。無線通信ネットワークは、無線デバイス間の通信、または無線デバイスと固定電話などの別の通信デバイスとの間の通信をサポートするのに好適な追加のエレメントをさらに含み得る。
【００８０】
ネットワーク２２０は、１つまたは複数のＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００８１】
無線通信ネットワークは、任意のタイプの通信、電気通信、データ、セルラー、および／または無線ネットワークあるいは他のタイプのシステムを表現し得る。特定の実施形態では、無線通信ネットワークは、特定の規格あるいは他のタイプのあらかじめ規定されたルールまたはプロシージャに従って動作するように設定され得る。したがって、無線通信ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、および／または他の好適な２Ｇ、３Ｇ、４Ｇ、または５Ｇ規格など、通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、および／またはＺｉｇＢｅｅ規格など、任意の他の適切な無線通信規格を実装し得る。
【００８２】
図２は、特定の実施形態による、ネットワークノード２００と無線デバイス（ＷＤ）２１０とのより詳細なビューを備える無線ネットワークを描く。簡単のために、図２は、ネットワーク２２０と、ネットワークノード２００および２００ａと、ＷＤ２１０とを描くにすぎない。ネットワークノード２００は、プロセッサ２０２と、ストレージ２０３と、インターフェース２０１と、アンテナ２０１ａとを備える。同様に、ＷＤ２１０は、プロセッサ２１２と、ストレージ２１３と、インターフェース２１１と、アンテナ２１１ａとを備える。これらの構成要素は、無線ネットワークにおいて無線接続を与えることなど、ネットワークノードおよび／または無線デバイス機能性を与えるために協働し得る。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る他の構成要素を備え得る。
【００８３】
本明細書で使用される「ネットワークノード」は、無線デバイスと、ならびに／あるいは、無線デバイスへの無線アクセスを可能にし、および／または与える、無線通信ネットワーク中の他の機器と、直接または間接的に通信することが可能な、そうするように設定された、構成された、および／または動作可能な機器を指す。ネットワークノードの例は、限定はしないが、アクセスポイント（ＡＰ）を含み、特に、無線アクセスポイントを含む。ネットワークノードは、無線基地局などの基地局（ＢＳ）を表現し得る。無線基地局の特定の例は、ノードＢ、エボルブドノードＢ（ｅＮＢ）、およびｇＮＢ（５Ｇ／ＮＲ  ｅＮＢ、すなわち、５Ｇ／ＮＲ無線基地局のための用語）を含む。基地局は、基地局が与えるカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。「ネットワークノード」は、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含む。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。
【００８４】
特定の非限定的な例として、基地局は、リレーを制御するリレーノードまたはリレードナーノードであり得る。
【００８５】
ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。しかしながら、より一般的には、ネットワークノードは、無線通信ネットワークへの無線デバイスアクセスを可能にし、および／または与え、あるいは、無線通信ネットワークにアクセスした無線デバイスに何らかのサービスを与えることが可能な、そうするように設定された、構成された、および／または動作可能な任意の好適なデバイス（またはデバイスのグループ）を表現し得る。
【００８６】
本明細書で使用される「無線ノード」という用語は、一般的に、各々がそれぞれ上記で説明されたような、無線デバイスとネットワークノードの両方を指すために使用される。
【００８７】
図２では、ネットワークノード２００は、プロセッサ２０２と、ストレージ２０３と、インターフェース２０１と、アンテナ２０１ａとを備える。これらの構成要素は、単一のより大きいボックス内に位置する単一のボックスとして描かれている。しかしながら、実際には、ネットワークノードは、単一の図示された構成要素を作成する複数の異なる物理構成要素を備え得る（たとえば、インターフェース２０１は、有線接続のためのワイヤを結合するための端末と、無線接続のための無線トランシーバとを備え得る）。別の例として、ネットワークノード２００は、複数の異なる物理的に別個の構成要素が、ネットワークノード２００の機能性を与えるために対話する、仮想ネットワークノードであり得る（たとえば、プロセッサ２０２は、３つの別個のエンクロージャ中に位置する３つの別個のプロセッサを備え得、各プロセッサは、ネットワークノード２００の特定のインスタンスのための異なる機能を担当する）。同様に、ネットワークノード２００は、複数の物理的に別個の構成要素（たとえば、ノードＢ構成要素およびＲＮＣ構成要素、ＢＴＳ構成要素およびＢＳＣ構成要素など）から組み立てられ得、これらは各々、それら自体のそれぞれのプロセッサ、ストレージ、およびインターフェース構成要素を有し得る。ネットワークノード２００が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＢＳＣとのペアは、別個のネットワークノードであり得る。いくつかの実施形態では、ネットワークノード２００は、複数の無線アクセス技術（ＲＡＴ）をサポートするように設定され得る。そのような実施形態では、いくつかの構成要素は複製され得（たとえば、異なるＲＡＴのための別個のストレージ２０３）、いくつかの構成要素は再利用され得る（たとえば、同じアンテナ２０１ａがＲＡＴによって共有され得る）。
【００８８】
プロセッサ２０２は、単体で、またはストレージ２０３などの他のネットワークノード２００構成要素と併せてのいずれかで、ネットワークノード２００機能性を与えるように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せであり得る。たとえば、プロセッサ２０２は、ストレージ２０３に記憶された命令を実行し得る。そのような機能性は、ＷＤ２１０などの無線デバイスに、本明細書で開示される特徴または利益のうちのいずれかを含む、本明細書で説明される様々な無線特徴を提供することを含み得る。
【００８９】
ストレージ２０３は、限定はしないが、永続ストレージ、固体メモリ、リモートでマウントされたメモリ、磁気媒体、光媒体、ランダムアクセスメモリ（ＲＡＭ）、読取り専用メモリ（ＲＯＭ）、リムーバブル媒体、あるいは他の好適なローカルまたはリモートメモリ構成要素を含む、任意の形態の揮発性または不揮発性コンピュータ可読メモリを備え得る。ストレージ２０３は、ネットワークノード２００によって利用される、ソフトウェアおよび符号化された論理を含む、任意の好適な命令、データまたは情報を記憶し得る。ストレージ２０３は、プロセッサ２０２によって行われた計算および／またはインターフェース２０１を介して受信されたデータを記憶するために使用され得る。
【００９０】
ネットワークノード２００は、ネットワークノード２００、ネットワーク２２０、および／またはＷＤ２１０の間のシグナリングおよび／またはデータの有線または無線通信において使用され得る、インターフェース２０１をも備える。たとえば、インターフェース２０１は、ネットワークノード２００が、有線接続にわたってネットワーク２２０からデータを送り、受信することを可能にするために必要とされ得る、フォーマットすること、コーディングすること、または変換することを実施し得る。インターフェース２０１はまた、アンテナ２０１ａに結合されるかまたはアンテナ２０１ａの一部であり得る、無線送信機および／または受信機を含み得る。無線機は、無線接続を介して他のネットワークノードまたはＷＤに送出されるべきであるデジタルデータを受信し得る。無線機は、デジタルデータを、適切なチャネルおよび帯域幅パラメータを有する無線信号にコンバートし得る。無線信号は、次いで、アンテナ２０１ａを介して適切な受信側（たとえば、ＷＤ２１０）に送信され得る。
【００９１】
アンテナ２０１ａは、データおよび／または信号を無線で送信および受信することが可能な任意のタイプのアンテナであり得る。いくつかの実施形態では、アンテナ２０１ａは、たとえば、２ＧＨｚと６６ＧＨｚとの間の無線信号を送信／受信するように動作可能な１つまたは複数の全方向の、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。
【００９２】
本明細書で使用される「無線デバイス」（ＷＤ）は、ネットワークノードおよび／または別の無線デバイスと無線で通信することが可能な、そうするように設定された、構成された、および／または動作可能なデバイスを指す。無線で通信することは、空中で情報を伝達するのに好適な、電磁信号、電波、赤外線信号、および／または他のタイプの信号を使用して無線信号を送信および／または受信することを伴い得る。特定の実施形態では、無線デバイスは、直接人間対話なしに情報を送信および／または受信するように設定され得る。たとえば、無線デバイスは、内部または外部イベントによってトリガされたとき、あるいは、ネットワークからの要求に応答して、所定のスケジュールでネットワークに情報を送信するように設計され得る。概して、無線デバイスは、無線通信が可能な、そのために設定された、構成された、および／または動作可能な任意のデバイス、たとえば無線通信デバイスを表現し得る。無線デバイスの例は、限定はしないが、スマートフォンなどのユーザ機器（ＵＥ）を含む。さらなる例は、無線カメラ、無線対応タブレットコンピュータ、ラップトップ埋込み機器（ＬＥＥ）、ラップトップ搭載機器（ＬＭＥ）、ＵＳＢドングル、および／または無線顧客構内機器（ＣＰＥ）を含む。
【００９３】
１つの特定の例として、無線デバイスは、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＵＥを表現し得る。本明細書で使用される「ユーザ機器」または「ＵＥ」は、必ずしも、関連のあるデバイスを所有し、および／または動作させる人間のユーザという意味における「ユーザ」を有するとは限らない。代わりに、ＵＥは、人間のユーザへの販売、または人間のユーザによる動作を意図されるが、特定の人間のユーザに初めに関連付けられないことがあるデバイスを表現し得る。
【００９４】
無線デバイスは、たとえばサイドリンク通信のための３ＧＰＰ規格を実装することによって、デバイス間（Ｄ２Ｄ）通信をサポートし得、この場合、Ｄ２Ｄ通信デバイスと呼ばれることがある。
【００９５】
また別の特定の例として、モノのインターネット（ＩｏＴ）シナリオでは、無線デバイスは、監視および／または測定を実施し、そのような監視および／または測定の結果を別の無線デバイスおよび／またはネットワークノードに送信する、マシンまたは他のデバイスを表現し得る。無線デバイスは、この場合、マシン間（Ｍ２Ｍ）デバイスであり得、Ｍ２Ｍデバイスは、３ＧＰＰコンテキストではマシン型通信（ＭＴＣ）デバイスと呼ばれることがある。１つの特定の例として、無線デバイスは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具、たとえば、冷蔵庫、テレビジョン、時計などの個人用ウェアラブルなどである。他のシナリオでは、無線デバイスは車両または他の機器を表現し得、車両または他の機器は、その動作ステータスを監視することおよび／またはその動作ステータスに関して報告すること、あるいはその動作に関連付けられた他の機能が可能である。
【００９６】
上記で説明された無線デバイスは無線接続のエンドポイントを表現し得、その場合には、デバイスは無線端末と呼ばれることがある。その上、上記で説明された無線デバイスはモバイルであり得、その場合には、デバイスはモバイルデバイスまたはモバイル端末と呼ばれることもある。
【００９７】
図２に描かれているように、ＷＤ２１０は、任意のタイプの無線エンドポイント、移動局、モバイルフォン、無線ローカルループフォン、スマートフォン、ユーザ機器、デスクトップコンピュータ、ＰＤＡ、セルフォン、タブレット、ラップトップ、ＶｏＩＰフォンまたはハンドセットであり得、これは、ネットワークノード２００および／または他のＷＤなど、ネットワークノードとの間でデータおよび／または信号を無線で送り、受信することが可能である。ＷＤ２１０は、プロセッサ２１２と、ストレージ２１３と、インターフェース２１１と、アンテナ２１１ａとを備える。ネットワークノード２００のように、ＷＤ２１０の構成要素は、単一のより大きいボックス内に位置する単一のボックスとして描かれているが、実際には、無線デバイスは、単一の図示された構成要素を作成する複数の異なる物理構成要素を備え得る（たとえば、ストレージ２１３は複数の個別マイクロチップを備え得、各マイクロチップは総記憶容量の一部分を表す）。
【００９８】
プロセッサ２１２は、単体で、またはストレージ２１３などの他のＷＤ２１０構成要素と組み合わせてのいずれかで、ＷＤ２１０機能性を与えるように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せであり得る。そのような機能性は、本明細書で開示される特徴または利益のうちのいずれかを含む、本明細書で説明される様々な無線特徴を与えることを含み得る。
【００９９】
ストレージ２１３は、限定はしないが、永続ストレージ、固体メモリ、リモートでマウントされたメモリ、磁気媒体、光媒体、ランダムアクセスメモリ（ＲＡＭ）、読取り専用メモリ（ＲＯＭ）、リムーバブル媒体、あるいは任意の他の好適なローカルまたはリモートメモリ構成要素を含む、任意の形態の揮発性または不揮発性メモリであり得る。ストレージ２１３は、ＷＤ２１０によって利用される、ソフトウェアおよび符号化された論理を含む、任意の好適なデータ、命令、または情報を記憶し得る。ストレージ２１３は、プロセッサ２１２によって行われた計算および／またはインターフェース２１１を介して受信されたデータを記憶するために使用され得る。
【０１００】
インターフェース２１１は、ＷＤ２１０とネットワークノード２００との間のシグナリングおよび／またはデータの無線通信において使用され得る。たとえば、インターフェース２１１は、ＷＤ２１０が、無線接続にわたってネットワークノード２００からデータを送り、受信することを可能にするために必要とされ得る、フォーマットすること、コーディングすること、または変換することを実施し得る。インターフェース２１１はまた、アンテナ２１１ａに結合されるかまたはアンテナ２１１ａの一部であり得る、無線送信機および／または受信機を含み得る。無線機は、無線接続を介してネットワークノード２０１に送出されるべきであるデジタルデータを受信し得る。無線機は、デジタルデータを、適切なチャネルおよび帯域幅パラメータを有する無線信号にコンバートし得る。無線信号は、次いで、アンテナ２１１ａを介してネットワークノード２００に送信され得る。
【０１０１】
アンテナ２１１ａは、データおよび／または信号を無線で送信および受信することが可能な任意のタイプのアンテナであり得る。いくつかの実施形態では、アンテナ２１１ａは、２ＧＨｚと６６ＧＨｚとの間の無線信号を送信／受信するように動作可能な１つまたは複数の全方向の、セクタまたはパネルアンテナを備え得る。簡単のために、アンテナ２１１ａは、無線信号が使用されている限り、インターフェース２１１の一部と見なされ得る。
【０１０２】
図３に示されているように、ユーザ機器３００は、例示的な無線デバイスである。ＵＥ３００は、アンテナ３０５と、無線フロントエンド回路要素３１０と、処理回路要素３１５と、コンピュータ可読記憶媒体３３０とを含む。アンテナ３０５は、１つまたは複数のアンテナまたはアンテナアレイを含み得、無線信号を送り、および／または受信するように設定され、無線フロントエンド回路要素３１０に接続される。いくつかの代替実施形態では、無線デバイス３００はアンテナ３０５を含まないことがあり、代わりに、アンテナ３０５は、無線デバイス３００とは別個であり、インターフェースまたはポートを通して無線デバイス３００に接続可能であり得る。
【０１０３】
無線フロントエンド回路要素３１０は、様々なフィルタおよび増幅器を備え得、アンテナ３０５および処理回路要素３１５に接続され、アンテナ３０５と処理回路要素３１５との間で通信される信号を調節するように設定される。いくつかの代替実施形態では、無線デバイス３００は無線フロントエンド回路要素３１０を含まないことがあり、代わりに、処理回路要素３１５は、無線フロントエンド回路要素３１０なしでアンテナ３０５に接続され得る。
【０１０４】
処理回路要素３１５は、無線周波数（ＲＦ）トランシーバ回路要素、ベースバンド処理回路要素、およびアプリケーション処理回路要素のうちの１つまたは複数を含み得る。いくつかの実施形態では、ＲＦトランシーバ回路要素、ベースバンド処理回路要素、およびアプリケーション処理回路要素は、別個のチップセット上にあり得る。代替実施形態では、ベースバンド処理回路要素およびアプリケーション処理回路要素の一部または全部は組み合わせられて１つのチップセットになり得、ＲＦトランシーバ回路要素は別個のチップセット上にあり得る。さらに代替の実施形態では、ＲＦトランシーバ回路要素およびベースバンド処理回路要素の一部または全部は同じチップセット上にあり得、アプリケーション処理回路要素は別個のチップセット上にあり得る。また他の代替実施形態では、ＲＦトランシーバ回路要素、ベースバンド処理回路要素、およびアプリケーション処理回路要素の一部または全部は、同じチップセット中で組み合わせられ得る。処理回路要素３１５は、たとえば、１つまたは複数の中央処理ユニット（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【０１０５】
特定の実施形態では、無線デバイスによって与えられるものとして本明細書で説明される機能性の一部または全部は、コンピュータ可読記憶媒体３３０に記憶された命令を実行する処理回路要素３１５によって与えられ得る。代替実施形態では、機能性の一部または全部は、ハードワイヤード様式などで、コンピュータ可読媒体に記憶された命令を実行することなしに処理回路要素３１５によって与えられ得る。それらの特定の実施形態のいずれでも、コンピュータ可読記憶媒体に記憶された命令を実行するか否かにかかわらず、処理回路要素は、説明される機能性を実施するように設定されると言われ得る。そのような機能性によって与えられる利益は、処理回路要素３１５単独に、またはＵＥ３００の他の構成要素に限定されないが、全体として無線デバイスによって、ならびに／または概してエンドユーザおよび無線ネットワークによって、享受される。
【０１０６】
アンテナ３０５、無線フロントエンド回路要素３１０、および／または処理回路要素３１５は、無線デバイスによって実施されるものとして本明細書で説明される受信動作を実施するように設定され得る。任意の情報、データおよび／または信号が、ネットワークノードおよび／または別の無線デバイスから受信され得る。
【０１０７】
処理回路要素３１５は、無線デバイスによって実施されるものとして本明細書で説明される決定動作を実施するように設定され得る。処理回路要素３１５によって実施されるような、決定することは、処理回路要素３１５によって取得された情報を、たとえば、取得された情報を他の情報にコンバートすることによって、処理すること、取得された情報またはコンバートされた情報を無線デバイスに記憶された情報と比較すること、ならびに／あるいは、取得された情報またはコンバートされた情報に基づいて、および前記処理が決定を行ったことの結果として、１つまたは複数の動作を実施することを含み得る。
【０１０８】
アンテナ３０５、無線フロントエンド回路要素３１０、および／または処理回路要素３１５は、無線デバイスによって実施されるものとして本明細書で説明される送信動作を実施するように設定され得る。任意の情報、データおよび／または信号が、ネットワークノードおよび／または別の無線デバイスに送信され得る。
【０１０９】
コンピュータ可読記憶媒体３３０は、概して、コンピュータプログラム、ソフトウェア、論理、ルール、コード、テーブルなどのうちの１つまたは複数を含むアプリケーション、および／またはプロセッサによって実行されることが可能な他の命令など、命令を記憶するように動作可能である。コンピュータ可読記憶媒体３３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素３１５によって使用され得る情報、データ、および／または命令を記憶する、任意の他の揮発性または不揮発性、非一時的コンピュータ可読および／またはコンピュータ実行可能メモリデバイスを含む。いくつかの実施形態では、処理回路要素３１５およびコンピュータ可読記憶媒体３３０は、統合されると見なされ得る。
【０１１０】
ＵＥ３００の代替実施形態は、本明細書で説明される機能性および／または上記で説明された解決策をサポートするのに必要な機能性のうちのいずれかを含む、ＵＥの機能性のいくつかの態様を与えることを担当し得る、図３に示されている構成要素以外の追加の構成要素を含み得る。ほんの一例として、ＵＥ３００は、入力インターフェース、デバイスおよび回路、ならびに、出力インターフェース、デバイスおよび回路を含み得る。入力インターフェース、デバイス、および回路は、ＵＥ３００への情報の入力を可能にするように設定され、処理回路要素３１５が入力情報を処理することを可能にするために、処理回路要素３１５に接続される。たとえば、入力インターフェース、デバイス、および回路は、マイクロフォン、近接度または他のセンサー、キー／ボタン、タッチディスプレイ、１つまたは複数のカメラ、ＵＳＢポート、あるいは他の入力エレメントを含み得る。出力インターフェース、デバイス、および回路は、ＵＥ３００からの情報の出力を可能にするように設定され、処理回路要素３１５がＵＥ３００から情報を出力することを可能にするために、処理回路要素３１５に接続される。たとえば、出力インターフェース、デバイス、または回路は、スピーカー、ディスプレイ、振動回路要素、ＵＳＢポート、ヘッドフォンインターフェース、または他の出力エレメントを含み得る。１つまたは複数の入力および出力インターフェース、デバイス、および回路を使用して、ＵＥ３００は、エンドユーザおよび／または無線ネットワークと通信し、エンドユーザおよび／または無線ネットワークが本明細書で説明される機能性から利益を得ることを可能にし得る。
【０１１１】
別の例として、ＵＥ３００は電力源（ｐｏｗｅｒ  ｓｏｕｒｃｅ）３３５を含み得る。電力源３３５は電力管理回路要素を備え得る。電力源３３５は電源（ｐｏｗｅｒ  ｓｕｐｐｌｙ）から電力を受信し得、電源は、電力源３３５中に備えられるか、または電力源３３５の外部にあるかのいずれかであり得る。たとえば、ＵＥ３００は、電力源３３５に接続された、または電力源３３５中で統合された、バッテリーまたはバッテリーパックの形態の電源を備え得る。光起電力デバイスなどの他のタイプの電力源も使用され得る。さらなる例として、ＵＥ３００は、電気ケーブルなどの入力回路要素またはインターフェースを介して（電気コンセントなどの）外部電源に接続可能であり得、それによって、外部電源は電力源３３５に電力を供給する。電力源３３５は、無線フロントエンド回路要素３１０、処理回路要素３１５、および／またはコンピュータ可読記憶媒体３３０に接続され、本明細書で説明される機能性を実施するための電力を、処理回路要素３１５を含む、ＵＥ３００に供給するように設定され得る。
【０１１２】
ＵＥ３００は、たとえば、ＧＳＭ、ＷＣＤＭＡ、ＬＴＥ、ＮＲ、Ｗｉ−Ｆｉ、またはＢｌｕｅｔｏｏｔｈ無線技術など、無線デバイス３００に統合された異なる無線技術のための、処理回路要素３１５、コンピュータ可読記憶媒体３３０、無線回路要素３１０、および／またはアンテナ３０５の複数のセットをも含み得る。これらの無線技術は、同じまたは異なるチップセットおよび無線デバイス３００内の他の構成要素に統合され得る。
【０１１３】
図４は、いくつかの実施形態による、ネットワークノード２００など、ネットワークノードによって実施され得る方法の一例を示す。本方法は、ステップ４０２において、システム情報送信のセットを送信することから始まる。セット内の各送信はシステム情報を含む。送信のセットは、システム情報の一部分がセット内の各送信について同じであるように設定することによってソフト合成を可能にする。一例として、送信のセットは、（たとえば、ＳＳブロックインデックスによって指示されるように、異なるビーム中の）ＳＳＢ送信のソフト合成を可能にし得る。別の例として、送信のセットは、（たとえば、関連するＰＤＣＣＨ上の反復バージョンインジケータによって指示されるように）ＰＤＳＣＨ上で送信されたＳＩＢ１の異なる反復バージョンのソフト合成を可能にし得る。
【０１１４】
システム情報送信のセットは、システム情報の空間的繰返しを与えるナロービームのスイープを使用することによって（たとえば、空間的繰返しはナロービームの連続送信のシーケンスを含み、各ビームはそれ自体の別個の方向を有し、その結果、セット中のすべての送信が一緒に、意図されたカバレッジエリア、たとえばセル全体をカバーする）、システム情報の時間的繰返しを与えるワイドビームまたは全方向性ビームを使用することによって（たとえば、時間的繰返しは、送信の、時間的な、すなわち次々に生じる、繰返しを含み、あらゆる送信は、同じ方向、およびビームフォーミング設定などの他の送信関連パラメータを有する）、あるいは、その中間の何か（たとえば、１つまたは数個の繰返しをもつセミワイド／セミナロービームのスイーピング）を使用することによってなど、任意の好適な様式で送信され得る。
【０１１５】
本方法は、ステップ４０４に進み、各送信について、それぞれの送信に関連する識別子の指示を与える。いくつかの実施形態では、指示は、システム情報送信のセットに属し、したがってソフト合成されることが可能である送信を、無線デバイスが決定することを可能にする。いくつかの実施形態では、識別子は、無線デバイスがセット中のすべての送信について同じであるとは限らないシステム情報の一部分を取得することができるように、送信を区別するために無線デバイスによって使用され得る。たとえば、ＰＲＡＣＨ設定は、それぞれの送信に関連する識別子に依存するように設定され得る（これは、送信のうちの１つに関連するＰＲＡＣＨ設定が送信のうちの別のものに関連するＰＲＡＣＨ設定とは異なることを可能にする）。一例としてＰＲＡＣＨ設定が説明されたが、他の実施形態は、無線デバイスが、それぞれの送信に関連する識別子に依存するシステム情報の任意の他の部分を取得することを可能にするために、識別子を使用し得る。
【０１１６】
いくつかの実施形態では、指示中で与えられた識別子は、それぞれの送信の送信番号／シーケンスを導出するために使用され得る。たとえば、本方法は、所定の順序に従って送信を送信し得、送信番号／シーケンスは、所定の順序内のそれぞれの送信の位置に対応する。いくつかの実施形態では、指示中で受信された識別子は、それぞれの送信のシンボル番号に対応することができる。
【０１１７】
いくつかの実施形態では、無線デバイスは、ステップ４０４において与えられた指示のみから送信番号を導出し得る。他の実施形態では、無線デバイスは、他の情報とともに、ステップ４０４において与えられた指示から送信番号を導出し得る。たとえば、ステップ４０４において与えられた指示は、指示がシステム情報中以外で与えられるという意味で暗黙的指示であると見なされ得る（たとえば、指示は、異なるスクランブリングシーケンスを使用して、異なるＰＳＳおよび／またはＳＳＳ設定、あるいは他の好適な手段を使用して、参照信号を符号化することによって与えられる）。いくつかの実施形態では、システム情報は、無線デバイスが送信番号を導出するためにステップ４０４の「暗黙的」指示とともに使用することができる明示的指示を与え得る。たとえば、いくつかの実施形態では、明示的指示（ＳＳＢ−ｉｎｄｅｘ−ｅｘｐｌｉｃｉｔパラメータ）は（ＰＢＣＨを介して通信され得る）ＭＩＢ中で与えられ得、暗黙的指示はＤＭＲＳシーケンス中で与えられ得る。一例として、送信番号はビットＸＸＸＹＹＹＹを含むと仮定する。ＳＳＢ−ｉｎｄｅｘ−ｅｘｐｌｉｃｉｔパラメータは、最上位ビット（ＸＸＸ）を与えるために使用され得、ＤＭＲＳシーケンスは、最下位ビット（ＹＹＹＹ）を与えるために使用され得る。いくつかの実施形態では、ＳＳＢ−ｉｎｄｅｘ−ｅｘｐｌｉｃｉｔパラメータが使用されるかどうかの決定は、キャリア周波数に依存する。たとえば、キャリア周波数が６ＧＨｚよりも大きいとき、ＳＳバーストセット中のＳＳＢの最大数は６４である。この場合、最上位ビットは、送信番号を区別するために必要とされ得る。より低いキャリア周波数では、より少数のＳＳＢがビームスイープ／ＳＳバーストセット中に含まれる場合、ＤＲＭＳによって搬送された暗黙的指示によって与えられた最下位ビットは、送信番号を区別するのに、単独で十分である。すなわち、（本例では、ＸＸＸＹＹＹＹビットまでの）より大きい量の送信番号を使用する設定のためには明示的指示と暗黙的指示とが一緒に使用され得るが、（本例では、ＹＹＹＹビットまでの）より小さい量の送信番号を使用する設定のためには暗黙的指示のみで十分であり得る。
【０１１８】
いくつかの実施形態では、ＤＭＲＳによって与えられた暗黙的指示と組み合わせたＳＳＢ−ｉｎｄｅｘ−ｅｘｐｌｉｃｉｔパラメータは、１つの１／２フレーム内でのみ一意であり、無線デバイスは、シングルビットｈａｌｆＦｒａｍｅＩｎｄｅｘを通して１／２フレームを追跡することができ、これは、あらゆる１／２フレーム境界においてトグルされる。したがって、ＤＭＲＳと、存在するとき（すなわち、キャリア周波数＞６ＧＨｚの場合）のＳＳＢ−ｉｎｄｅｘ−ｅｘｐｌｉｃｉｔパラメータとは、ＳＳバーストセット内でＳＳＢ番号（または送信番号）を与え、ＤＭＲＳと、存在するときのＳＳＢ−ｉｎｄｅｘ−ｅｘｐｌｉｃｉｔとは、ｈａｌｆＦｒａｍｅＩｎｄｅｘパラメータおよびシステムフレーム番号とともに、タイミング情報を与える。
【０１１９】
ステップ４０４において与えられた指示は、システム情報中以外で与えられる。例として、いくつかの実施形態では、指示は、参照信号上で指示を符号化することによって、セット内の各送信について、異なるスクランブリングを使用することによって、あるいは、セット内の各送信について、異なる１次同期シーケンス（ＰＳＳ）、異なる２次同期シーケンス（ＳＳＳ）、または異なるＰＳＳ／ＳＳＳ組合せを使用することによって与えられる。
【０１２０】
ステップ４０４における指示が、参照信号上で指示を符号化することによって与えられた場合、いくつかの実施形態では、参照信号は、指示にマッピングする関連するインデックスを有し、符号化することは、暗黙的に与えられるべきである指示にマッピングするインデックスに関連する参照信号を選択することからなる。参照信号は、波形またはビットのシーケンスである。したがって、参照信号を参照することが可能であるために、いくつかの凝縮表現が、たとえばシステム情報中で、参照信号のために与えられ得る。参照信号の所望の特性が維持されるように、いくつかのルールおよび制約が満たされる限り、ビットのシーケンスを変化させることによって、同じタイプの異なる参照信号が作成され得るという意味で、同じ参照信号のいくつかの異なる利用可能な「バージョン」があり得る。例および説明の目的で、仮想参照信号、「ＲＳ例」が３２個の異なるバージョンにおいて存在すると仮定する。範囲０〜３１内の数など、インデックスが、ＲＳ例の各バージョンに関連し得る。次いで、ネットワークは、無線デバイスが、インデックスＸに関連するＲＳ例のバージョンを検出した場合、無線デバイスが１つのやり方で挙動する（たとえば、アクションＡを実施するかまたはリソースαを使用する）べきであることを、無線デバイスに通知することができる。代替的に、無線デバイスが、インデックスＹに関連するＲＳ例のバージョンを検出した場合、無線デバイスは、別のやり方で挙動する（たとえば、アクションＢを実施するかまたはリソースβを使用する）べきである。いくつかの実施形態では、異なるＲＳインデックスは、無線デバイスがランダムアクセスプロシージャを始動することを希望する場合に無線デバイスが使用するべきである異なるＰＲＡＣＨリソースにマッピングされ得る。これは、（この例では）ＲＳインデックスがＰＲＡＣＨリソースの指示にマッピングすることを意味する。
【０１２１】
図４は、本方法がシステム情報送信の第２のセットを送信することを含む随意のステップ４０６を示す。ステップ４０４の指示は、無線デバイスが、システム情報送信の第１のセットに属する送信が、システム情報送信の第２のセットに属する送信とソフト合成され得ないことを決定することを可能にする。代替的に、いくつかの実施形態では、指示は、無線デバイスが、（システム情報の第１のセットなどの）同じサブセット内の送信がコヒーレントにソフト合成され得、（第１のサブセットおよび第２のサブセットなどの）異なるサブセット内の送信が非コヒーレントにのみソフト合成され得ることを決定することを可能にする。
【０１２２】
図５〜図８は、いくつかの実施形態による、無線デバイス２１０またはＵＥ３００など、無線デバイスによって実施され得る方法の例を示す。図５に関して、本方法は、ステップ５０２において、ネットワークノード２００から複数のシステム情報送信を受信することから始まる。各送信はシステム情報（ＳＩ）を含む。受信されたシステム情報送信の一部または全部は、システム情報の空間的繰返しを与えるナロービームのスイープ、ワイドビームまたは全方向性ビームの時間的繰返しを含むワイドビームまたは全方向性ビーム送信、あるいはその中間の何か（たとえば、１つまたは数個の繰返しをもつセミワイド／セミナロービームのスイープ）など、システム情報送信のセット（またはセットの一部）を含み得る。
【０１２３】
本方法は、ステップ５０４に進み、各送信について、それぞれの送信に関連する識別子の指示を決定する。上記で説明されたように、指示は、システム情報送信の同じセットに属し、したがってソフト合成されることが可能である送信を、無線デバイスが決定することを可能にする。いくつかの実施形態では、指示中で受信された識別子は、それぞれの送信の送信番号／シーケンスに対応することができる。たとえば、ネットワークノードが、所定の順序に従って送信を送信し得、送信番号／シーケンスは、所定の順序内のそれぞれの送信の位置に対応する。図４を参照しながら上記で説明されたように、いくつかの実施形態は、（ＤＭＲＳシーケンスなどの）ステップ５０４において決定された「暗黙的」指示に基づいて送信番号を導出し、他の実施形態は、（ネットワークノードからシステム情報中で受信された明示的指示、たとえば、ＳＳＢ−ｉｎｄｅｘ−ｅｘｐｌｉｃｉｔなどの）明示的指示とともに「暗黙的」指示に基づいて送信番号を導出する。したがって、いくつかの実施形態は、ＳＳＢ−ｉｎｄｅｘ−ｅｘｐｌｉｃｉｔが、送信がソフト合成され得る、すなわち、同じＳＳＢ−ｉｎｄｅｘ−ｅｘｐｌｉｃｉｔ値をもつ送信がソフト合成され得ることを指示するシナリオをサポートする。明示的ＳＳＢ−ｉｎｄｅｘ−ｅｘｐｌｉｃｉｔパラメータは、同じＳＳＢ−ｉｎｄｅｘ−ｅｘｐｌｉｃｉｔ値をもつ２つの送信が同じＳＳバーストセットに属し、２つの異なるＳＳバーストセットに属さないことを保証するために（無線デバイスの内部クロックからの）タイミング情報と合成されなければならないことがある（ここで、ＳＳＢ−ｉｎｄｅｘ−ｅｘｐｌｉｃｉｔパラメータの値は再利用される）。とはいえ、無線デバイスは、暗黙的指示（すなわち送信番号）のみを見ることによっても２つの送信がソフト合成され得るかどうかを決定することができ、なぜなら、これが値の反復的なサイクルを循環され、ＳＳＢ−ｉｎｄｅｘ−ｅｘｐｌｉｃｉｔパラメータが変化するたびに再開するからである。いくつかの実施形態では、指示中で受信された識別子は、それぞれの送信のシンボル番号に対応することができる。
【０１２４】
ステップ５０４において決定された指示は、システム情報中以外でネットワークノード２００から受信される。たとえば、いくつかの実施形態では、指示は、参照信号上で指示を復号することによって決定される。いくつかの実施形態では、指示は、ネットワークノード２００がセット内の各送信のために使用する異なるスクランブリングに基づいて決定される。いくつかの実施形態では、指示は、セット内の各送信についてネットワークノード２００が与える、異なる１次同期シーケンス（ＰＳＳ）、異なる２次同期シーケンス（ＳＳＳ）、または異なるＰＳＳ／ＳＳＳ組合せに基づいて決定される。
【０１２５】
本方法は、ステップ５０６に進み、（たとえば、ステップ５０４において受信された指示に基づいて決定されたように）ソフト合成が可能にされる受信された送信をソフト合成する。
【０１２６】
図６を参照すると、ステップ６０２、６０４、および６０６は、概して、それぞれ、図５のステップ５０２、５０４、および５０６に類似する。図６は、ステップ６０４において決定された識別子が、それぞれの送信に関連する識別子に依存するＰＲＡＣＨ設定など、セット中のすべての送信について同じでなく、送信のうちの１つに関連するＰＲＡＣＨ設定が送信のうちの別のものに関連するＰＲＡＣＨ設定とは異なることを可能にする、システム情報の一部分を区別するために無線デバイスによって使用され得ることをさらに示す。たとえば、ステップ６０８において、本方法は、受信された送信のソフト合成に基づいて、セット中の各送信について同じであるＳＩの一部分を決定する。ステップ６１０において、本方法は、たとえば、ステップ６０４において決定された識別子（特定の送信の送信番号／シーケンス、シンボル番号、または他の識別子）に基づいて、送信のうちの１つのみから（ＰＲＡＣＨ設定などの）ＳＩの送信固有部分を決定する。
【０１２７】
図７を参照すると、ステップ７０２、７０４、および７０６は、概して、それぞれ、図５のステップ５０２、５０４、および５０６に類似する。図７は、システム情報送信の第２のセットを受信すること（ステップ７０８）と、指示に基づいて、システム情報送信の第１のセットに属する送信が、システム情報送信の第２のセットに属する送信とソフト合成され得ないことを決定すること（ステップ７１０）とをさらに示す。
【０１２８】
図８を参照すると、ステップ８０２、８０４、および８０６は、概して、それぞれ、図５のステップ５０２、５０４、および５０６に類似する。図８は、指示に基づいて、システム情報送信のセットが、同じサブセット内の送信がコヒーレントにソフト合成されることが可能であり、異なるサブセット内の送信が非コヒーレントにのみソフト合成され得るような、送信の複数のサブセットを含むことを決定すること（ステップ８０５）をさらに示す。したがって、ステップ８０６は、同じサブセット内の送信をコヒーレントにソフト合成することと、送信の異なるサブセット内の送信を非コヒーレントにソフト合成することとを含む。
【０１２９】
本明細書で説明される任意のステップまたは特徴は、いくつかの実施形態を例示するにすぎない。すべての実施形態が、開示されるすべてのステップまたは特徴を組み込むことも、本明細書で描かれるかまたは説明される厳密な順序でステップが実施されることも必要とされない。その上、いくつかの実施形態は、本明細書で開示されるステップのうちの１つまたは複数に固有のステップを含む、本明細書で例示または説明されないステップまたは特徴を含み得る。
【０１３０】
任意の適切なステップ、方法、または機能は、たとえば、上記の図のうちの１つまたは複数に例示された構成要素および機器によって実行され得るコンピュータプログラム製品を通して実施され得る。たとえば、ストレージ２０３は、コンピュータプログラムが記憶され得るコンピュータ可読手段を備え得る。コンピュータプログラムは、プロセッサ２０２（ならびにインターフェース２０１およびストレージ２０３など、動作可能に結合されたエンティティおよびデバイス）に、本明細書で説明される実施形態による方法を実行させる命令を含み得る。コンピュータプログラムおよび／またはコンピュータプログラム製品は、こうして、本明細書で開示される任意のステップを実施するための手段を提供し得る。
【０１３１】
任意の適切なステップ、方法、または機能は、１つまたは複数の機能的モジュールを通して実施され得る。各機能的モジュールは、ソフトウェア、コンピュータプログラム、サブルーチン、ライブラリ、ソースコード、または、たとえば、プロセッサによって実行される任意の他の形態の実行可能な命令を備え得る。いくつかの実施形態では、各機能的モジュールは、ハードウェアでおよび／またはソフトウェアで実装され得る。たとえば、１つまたは複数のまたはすべての機能的モジュールは、場合によってはストレージ２１３および／または２０３と協働して、プロセッサ２１２および／または２０２によって実装され得る。プロセッサ２１２および／または２０２ならびにストレージ２１３および／または２０３は、こうして、それぞれの機能的モジュールが本明細書で開示される任意のステップまたは機能を実施することを可能にするために、プロセッサ２１２および／または２０２が、ストレージ２１３および／または２０３から命令をフェッチし、フェッチされた命令を実行することを可能にするように配置され得る。
【０１３２】
発明的概念のいくつかの態様が、主に、数個の実施形態を参照しながら上記で説明された。しかしながら、当業者によって容易に諒解されるように、上記で開示された実施形態以外の実施形態が等しく可能であり、発明的概念の範囲内にある。同様に、若干の異なる組合せが論じられたが、すべての可能な組合せが開示されたとは限らない。当業者は、他の組合せが存在し、発明的概念の範囲内にあることを諒解するであろう。その上、当業者によって理解されているように、本明細書で開示される実施形態は、そのようなものとして他の規格および通信システムにも適用可能であり、他の特徴と関連付けて開示される特定の図からの任意の特徴は、任意の他の図に適用可能であり、および／または異なる特徴と組み合わせられ得る。
【図１】
0006947833.tif 000002
【図２】
0006947833.tif 000003
【図３】
0006947833.tif 000004
【図４】
0006947833.tif 000005
【図５】
0006947833.tif 000006
【図６】
0006947833.tif 000007
【図７】
0006947833.tif 000008
【図８】
0006947833.tif 000009